(57)【要約】【課題】寒冷地の冬季に運転されても、熱交換器内部での氷結による影響を受けにくくして、本来の熱交換換気を継続することができる熱交換形換気装置を提供することを目的とする。【解決手段】熱交換形換気装置１は、第一と第二の熱交排気流路２１ａ、２１ｂで氷結が起こる時は、第一と第二の熱交換器３ａ、３ｂにて第一と第二の氷結時の熱交換気運転と、第一と第二のデフロスト運転を順次切換え、第一と第二の熱交排気流路２１ａ、２１ｂで氷結が起こらない時は、第一と第二の熱交換器３ａ、３ｂを用いて通常時の熱交換気運転を行い、第一と第二の熱交換器３ａ、３ｂは、第一と第二の熱交排気流路２１ａ、２１ｂの第一と第二の流入口４３ａ、４３ｂと、第一と第二の熱交給気流路２２ａ、２２ｂの第一と第二の流入口４３ａ、４３ｂとが離れている構成としたことにより、本来の熱交換換気を継続して行うことができることとなる。【選択図】図１
2010096384.tif 000002
【特許請求の範囲】
【請求項１】
室内の空気を室外へ排気する排気流と、室外の空気を室内へ給気する給気流とを通風させて前記排気流と前記給気流との間で熱交換する熱交換器を備えた熱交換形換気装置であって、前記熱交換形換気装置は複数の前記熱交換器を備え、前記熱交換器は前記排気流および前記給気流を通風させる熱交排気流路および熱交給気流路を備え、前記熱交排気流路において結露や氷結が起こる時は、前記熱交換器は氷結時の熱交換気運転を行い、他の前記熱交換器は前記熱交排気流路内の結露や氷結のデフロスト運転を行い、複数の前記熱交換器にて前記氷結時の熱交換気運転と前記デフロスト運転を順次切り換える構成とし、前記熱交排気流路において結露や氷結が起こらない時は、複数の前記熱交換器を用いて通常時の熱交換気運転を行う構成とし、前記熱交換器は、前記熱交排気流路および前記熱交給気流路の出入口に夫々流入口と吐出口を備え、前記熱交排気流路の前記流入口と前記熱交給気流路の前記流入口とが離れていることを特徴とする熱交換形換気装置。
【請求項２】
熱交換器は、熱交排気流路の流入口と熱交給気流路の吐出口が隣接し、熱交給気流路の流入口と熱交排気流路の吐出口が隣接することを特徴とする請求項１記載の熱交換形換気装置。
【請求項３】
熱交換器は、熱交排気流路を通風する排気流と熱交給気流路を通風する給気流とが対向することを特徴とする請求項２記載の熱交換形換気装置。
【請求項４】
熱交換器は、熱交排気流路および熱交給気流路をＬ字状で構成したことを特徴とする請求項３記載の熱交換形換気装置。
【請求項５】
熱交換器は、Ｌ字状の熱交排気流路とＬ字状の熱交給気流路が平面視折り返した関係に構成したことを特徴とする請求項４記載の熱交換形換気装置。
【請求項６】
熱交換器は、Ｌ字状の熱交排気流路とＬ字状の熱交給気流路が平面的に１８０度回転した関係に構成したことを特徴とする請求項４記載の熱交換形換気装置。
【請求項７】
熱交換器は、熱交排気流路および熱交給気流路をＳ字状で構成したことを特徴とする請求項３記載の熱交換形換気装置。
【請求項８】
熱交換器は非水溶性の材料で構成したことを特徴とする請求項５乃至７のいずれかに記載の熱交換形換気装置。
【請求項９】
熱交換器は、熱交排気流路を通風する排気流と熱交給気流路を通風する給気流との間で、温度と湿度を熱交換する非水溶性の全熱交換型としたことを特徴とする請求項８記載の熱交換形換気装置。
【請求項１０】
熱交換器は熱交排気流路と熱交給気流路の間に伝熱板を備え、前記伝熱板は非水溶性の透湿樹脂膜で構成したことを特徴とする請求項９記載の熱交換形換気装置。
【請求項１１】
透湿樹脂膜は、非水溶性の多孔質樹脂膜の片面に、気体遮蔽性を有する非水溶性の親水性透湿樹脂膜を重合した２層構造としたことを特徴とする請求項１０記載の熱交換形換気装置。
【請求項１２】
透湿樹脂膜は、前記多孔質樹脂膜の他面に、通気性の非水溶性の多孔質樹脂基材を重合した３層構造としたことを特徴とする請求項１１記載の熱交換形換気装置。
【請求項１３】
透湿樹脂膜は、前記親水性透湿樹脂膜の片面に、通気性の非水溶性の多孔質樹脂基材を重合した３層構造のとしたことを特徴とする請求項１１記載の熱交換形換気装置。
【請求項１４】
多孔質樹脂膜はポリテトラフルオロエチレンで構成したことを特徴とする請求項１１乃至１３のいずれかに記載の熱交換形換気装置。
【請求項１５】
熱交換器は、熱交排気流路および熱交給気流路の流路の間隔を分割する非水溶性の分割リブを備えたことを特徴とする請求項８記載の熱交換形換気装置。
【請求項１６】
分割リブは非水溶性の樹脂で構成したことを特徴とする請求項１５記載の熱交換形換気装置。
【請求項１７】
熱交換器は熱交給気流路より熱交排気流路の積層高さを高くしたことを特徴とする請求項８記載の熱交換形換気装置。
【発明の詳細な説明】
【技術分野】
【０００１】
本発明は、寒冷地等で使用され、室内の空気を室外へ排気する排気流と、室外の空気を室内へ給気する給気流との間で熱交換する熱交換形換気装置に関する。
【背景技術】
【０００２】
この種の熱交換形換気装置は、冬季に室外の温度が、例えば−１０℃以下のような低い温度になると、室内からの温かい排気流が流れる熱交換器内の流路内において、隣接する給気の流路に室外から通風される冷たい給気の影響を受けて氷結し目詰まりしていくが、従来の熱交換形換気装置では、この氷結による目詰まりを防止する構成をとっていた（例えば、特許文献１参照）。
【０００３】
また、室外の温度が−２５℃のようなきわめて低い温度となる地域では、実用に供する熱交換形換気装置がないのが実状であった。
【０００４】
以下、特許文献１に示す熱交換形換気装置について、図１６および図１７を参照しながら説明する。
【０００５】
図１６に示すように、熱交換器ユニット１０１は室内の空気と室外の空気の間で熱交換換気を行い、熱交換器ユニット１０１は、熱交換器１０２と、室内の空気を室外へ排気し、熱交換器１０２を経由する排気経路１０３と、室外の空気を室内へ給気し、熱交換器１０２を経由する給気経路１０４と、排気経路１０３に組み込まれる排気ファン１０５と、給気経路１０４に組み込まれる給気ファン１０６と、室外の空気の外気温度を検出する温度センサー１０７と、温度センサー１０７で検出した外気温度によって排気ファン１０５と給気ファン１０６の運転制御を行う制御部を備えている。
【０００６】
そして、熱交換器ユニット１０１は熱交換換気の運転を行うと、排気ファン１０５と給気ファン１０６が稼動し、室内の空気と室外の空気は熱交換器１０２で直交するように交わって熱交換する。
【０００７】
ここで、熱交換器ユニット１０１の制御部は、外気温度が−１０℃を下回った時に、熱交換器１０２が凍結することを抑えるため、外気温度に応じて２つの凍結抑制制御を行い、この２つの凍結抑制制御は第１凍結抑制制御および第２凍結抑制制御である。
【０００８】
第１凍結抑制制御は、外気温度が−１０℃を下回った場合に、熱交換器１０２の凍結を抑制する制御であり、排気ファン１０５を常時作動させ、給気ファン１０６の動作を６０分のうち最初の１５分だけ休止させる運転を繰り返す。
【０００９】
第２凍結抑制制御は、外気温度が−１５℃を下回った場合に、第１凍結抑制制御よりも強力に熱交換器１０２の凍結を抑制する制御であり、排気ファン１０５および給気ファン１０６の間欠運転を行う。第２凍結抑制制御は、排気ファン１０５および給気ファン１０６を６０分休止させた後に５分だけ作動を再開させる運転を繰り返す。
【特許文献１】特許第３７４４４０９号公報
【発明の開示】
【発明が解決しようとする課題】
【００１０】
このような従来の熱交換器ユニット１０１では、外気温度が−１０℃を下回るような室外がきわめて低い温度となる寒冷地の冬季に運転すると、図１７に示すように、室内の空気と室外の空気は熱交換器１０２で直交するように交わって熱交換するため、室内の空気および室外の空気は熱交換器１０２に流入する部分において、室内の温かい湿度を含む空気と、室外のきわめて低い温度の空気が直接接触することで、室内の温かい湿度を含む空気は、室外のきわめて低い温度が通風する給気経路１０４と近い排気経路１０３から結露が容易に起こる。そして、結露水１０８は排気経路１０３に徐々に溜まり、更に運転を続けると結露水１０８は凍結していき、排気経路１０３の通路が塞がる。結果として、排気経路１０３を通風する室内の空気は熱交換器１０２内の結露や氷結によって、排気を行うことができなくなった。
【００１１】
そこで、従来の熱交換器ユニット１０１は、第１凍結抑制制御または第２凍結抑制制御により、これらの結露や氷結の解消を行ったが、外気温度が−１０℃を下回った場合の第１凍結抑制制御は、排気ファン１０５は常時作動させ、給気ファン１０６は６０分のうちの４５分だけ作動する運転を繰り返すため、給気ファン１０６が休止している１５分間は、室内が負圧になって、建物の隙間から室外の空気が流入し、コールドドラフトや結露を発生することがあった。
【００１２】
また、従来の熱交換器ユニット１０１は、外気温度が−１５℃を下回った場合の第２凍結抑制制御は、排気ファン１０５および給気ファン１０６は６５分のうちの５分だけ作動し、この５分の排気ファン１０５および給気ファン１０６の作動は、主に温度センサー１０７による外気温度の監視であり、殆どの時間は熱交換換気の運転が停止しているため、家屋やビルなどに必要な換気風量を熱回収しながら得ることができなかった。
【００１３】
本発明はこのような課題を解決するものであり、室外がきわめて低い温度となる寒冷地の冬季に運転されても、熱交換器内部での氷結の影響を受けにくくして、本来の熱交換換気を継続して実施することができる熱交換形換気装置を提供することを目的としている。
【課題を解決するための手段】
【００１４】
そして、この目的を達成するために本発明は、室内の空気を室外へ排気する排気流と、室外の空気を室内へ給気する給気流とを通風させて前記排気流と前記給気流との間で熱交換する熱交換器を備えた熱交換形換気装置であって、前記熱交換形換気装置は複数の前記熱交換器を備え、前記熱交換器は前記排気流および前記給気流を通風させる熱交排気流路および熱交給気流路を備え、前記熱交排気流路において結露や氷結が起こる時は、前記熱交換器は氷結時の熱交換気運転を行い、他の前記熱交換器は前記熱交排気流路内の結露や氷結のデフロスト運転を行い、複数の前記熱交換器にて前記氷結時の熱交換気運転と前記デフロスト運転を順次切り換える構成とし、前記熱交排気流路において結露や氷結が起こらない時は、複数の前記熱交換器を用いて通常時の熱交換気運転を行う構成とし、前記熱交換器は、前記熱交排気流路および前記熱交給気流路の出入口に夫々流入口と吐出口を備え、前記熱交排気流路の前記流入口と前記熱交給気流路の前記流入口とが離れていることを特徴とする熱交換形換気装置であり、これにより、所期の目的を達成するものである。
【発明の効果】
【００１５】
本発明によれば、室外がきわめて低い温度となる寒冷地の冬季に運転されても、熱交換器内部での氷結の影響を受けにくくして、本来の熱交換換気を継続して実施することができる熱交換形換気装置を提供することができる。
【発明を実施するための最良の形態】
【００１６】
本発明の請求項１に記載の熱交換形換気装置は、室外がきわめて低い温度となる寒冷地で運転した場合、室内の温かい湿度を含む排気流が流入する熱交排気流路の流入口と、きわめて低い温度の給気流が流入する熱交給気流路の流入口が離れた構成としたものであり、排気流と給気流は、熱交換器内で温度差と湿度差が最も大きい状態で接触することがないため、熱交排気流路で結露し、氷結していくことの影響を受けにくくすることができ、更に熱交排気流路において結露や氷結が起こる時は、熱交換器は氷結時の熱交換気運転を行い、他の熱交換器は熱交排気流路内の結露や氷結のデフロスト運転を行い、複数の熱交換器にて氷結時の熱交換気運転とデフロスト運転を順次切り換える構成としたことで、本来の氷結時の熱交換気運転を継続することができ、また、室外の温度が高い場合、複数の熱交換器を用いて通常時の熱交換気運転をすることにより、高い熱交換効率を得ることができる。
【００１７】
また、本発明の請求項２に記載の熱交換形換気装置は、熱交換器は熱交排気流路の流入口と熱交給気流路の吐出口が隣接し、熱交給気流路の流入口と熱交排気流路の吐出口が隣接する構成としたものであり、熱交換器の一定容積内で熱交排気流路と熱交給気流路の接触面積を広くすることができるため、熱交換器の熱交換効率を高くすることができ、室外がきわめて低い温度となる寒冷地で運転した場合、きわめて低い温度の給気流は、室内の温かい排気流によって熱交換して室内温度近くまで上昇し、室内の温かい排気流は、きわめて低い温度の給気流によって熱交換して室外温度近くまで下降するため、排気流と給気流は、熱交換器内で温度差と湿度差が大きい状態で接触することがないため、熱交排気流路で結露し、氷結していくことの影響を受けにくくすることができる。
【００１８】
また、本発明の請求項３に記載の熱交換形換気装置は、熱交換器は熱交排気流路を通風する排気流と熱交給気流路を通風する給気流とが対向する構成としたものであり、熱交換器の一定容積内で直交流方式や並行流方式よりも熱交換効率を高くすることができる対向流方式により、熱交換器の熱交換効率を高くすることができるため、室外がきわめて低い温度となる寒冷地で運転した場合、熱交排気流路で結露し、氷結していくことの影響を受けにくくすることができる。
【００１９】
また、本発明の請求項４に記載の熱交換形換気装置は、熱交換器は熱交排気流路および熱交給気流路をＬ字状の構成としたものであり、熱交換器の一定容積内で熱交換効率を高くすることができる対向流方式に加え、熱交排気流路の流入口と熱交給気流路の流入口とが離れ、熱交排気流路の流入口と熱交給気流路の吐出口が隣接し、熱交給気流路の流入口と熱交排気流路の吐出口が隣接する熱交換器の構成が得られる。従って、室外がきわめて低い温度となる寒冷地で運転した場合、室内の温かい湿度を含む排気流が流入する熱交排気流路の流入口と、きわめて低い温度の給気流が流入する熱交給気流路の流入口が離れているため、排気流と給気流は、熱交換器内で温度差と湿度差が最も大きい状態で接触することがないため、熱交排気流路で結露し、氷結していくことの影響を受けにくくすることができる。また、熱交換器の一定容積内で熱交排気流路と熱交給気流路の接触面積を広くすることができるため、熱交換器の熱交換効率を高くすることができ、室外がきわめて低い温度となる寒冷地で運転した場合、きわめて低い温度の給気流は、室内の温かい排気流によって熱交換して室内温度近くまで上昇し、室内の温かい排気流は、きわめて低い温度の給気流によって熱交換して室外温度近くまで下降するため、排気流と給気流は、熱交換器内で温度差と湿度差が大きい状態で接触することがないため、熱交排気流路で結露し、氷結していくことの影響を受けにくくすることができる。
【００２０】
また、本発明の請求項５に記載の熱交換形換気装置は、熱交換器はＬ字状の熱交排気流路とＬ字状の熱交給気流路が平面視折り返した関係の構成としたものであり、熱交換器の一定容積内で熱交換効率を高くすることができる対向流方式に加え、熱交排気流路の流入口と熱交給気流路の流入口とが離れ、熱交排気流路の流入口と熱交給気流路の吐出口が隣接し、熱交給気流路の流入口と熱交排気流路の吐出口が隣接する熱交換器の構成が得られる。従って、室外がきわめて低い温度となる寒冷地で運転した場合、室内の温かい湿度を含む排気流が流入する熱交排気流路の流入口と、きわめて低い温度の給気流が流入する熱交給気流路の流入口が離れているため、排気流と給気流は、熱交換器内で温度差と湿度差が最も大きい状態で接触することがないため、熱交排気流路で結露し、氷結していくことの影響を受けにくくすることができる。また、熱交換器の一定容積内で熱交排気流路と熱交給気流路の接触面積を広くすることができるため、熱交換器の熱交換効率を高くすることができ、室外がきわめて低い温度となる寒冷地で運転した場合、きわめて低い温度の給気流は、室内の温かい排気流によって熱交換して室内温度近くまで上昇し、室内の温かい排気流は、きわめて低い温度の給気流によって熱交換して室外温度近くまで下降するため、排気流と給気流は、熱交換器内で温度差と湿度差が大きい状態で接触することがないため、熱交排気流路で結露し、氷結していくことの影響を受けにくくすることができる。
【００２１】
また、本発明の請求項６に記載の熱交換形換気装置は、熱交換器はＬ字状の熱交排気流路とＬ字状の熱交給気流路が平面的に１８０度回転した関係の構成としたものであり、熱交換器の一定容積内で熱交換効率を高くすることができる対向流方式に加え、熱交排気流路の流入口と熱交給気流路の流入口とが離れ、熱交排気流路の流入口と熱交給気流路の吐出口が隣接し、熱交給気流路の流入口と熱交排気流路の吐出口が隣接する熱交換器の構成が得られる。従って、室外がきわめて低い温度となる寒冷地で運転した場合、室内の温かい湿度を含む排気流が流入する熱交排気流路の流入口と、きわめて低い温度の給気流が流入する熱交給気流路の流入口が離れているため、排気流と給気流は、熱交換器内で温度差と湿度差が最も大きい状態で接触することがないため、熱交排気流路で結露し、氷結していくことの影響を受けにくくすることができる。また、熱交換器の一定容積内で熱交排気流路と熱交給気流路の接触面積を広くすることができるため、熱交換器の熱交換効率を高くすることができ、室外がきわめて低い温度となる寒冷地で運転した場合、きわめて低い温度の給気流は、室内の温かい排気流によって熱交換して室内温度近くまで上昇し、室内の温かい排気流は、きわめて低い温度の給気流によって熱交換して室外温度近くまで下降するため、排気流と給気流は、熱交換器内で温度差と湿度差が大きい状態で接触することがないため、熱交排気流路で結露し、氷結していくことの影響を受けにくくすることができる。
【００２２】
また、本発明の請求項７に記載の熱交換形換気装置は、熱交換器は熱交排気流路および熱交給気流路をＳ字状の構成としたものであり、熱交換器の一定容積内で熱交換効率を高くすることができる対向流方式に加え、熱交排気流路の流入口と熱交給気流路の流入口とが離れ、熱交排気流路の流入口と熱交給気流路の吐出口が隣接し、熱交給気流路の流入口と熱交排気流路の吐出口が隣接する熱交換器の構成が得られる。従って、室外がきわめて低い温度となる寒冷地で運転した場合、室内の温かい湿度を含む排気流が流入する熱交排気流路の流入口と、きわめて低い温度の給気流が流入する熱交給気流路の流入口が離れているため、排気流と給気流は、熱交換器内で温度差と湿度差が最も大きい状態で接触することがないため、熱交排気流路で結露し、氷結していくことの影響を受けにくくすることができる。また、熱交換器の一定容積内で熱交排気流路と熱交給気流路の接触面積を広くすることができるため、熱交換器の熱交換効率を高くすることができ、室外がきわめて低い温度となる寒冷地で運転した場合、きわめて低い温度の給気流は、室内の温かい排気流によって熱交換して室内温度近くまで上昇し、室内の温かい排気流は、きわめて低い温度の給気流によって熱交換して室外温度近くまで下降するため、排気流と給気流は、熱交換器内で温度差と湿度差が大きい状態で接触することがないため、熱交排気流路で結露し、氷結していくことの影響を受けにくくすることができる。
【００２３】
また、本発明の請求項８に記載の熱交換形換気装置は、熱交換器は非水溶性の材料で構成したものであり、室外がきわめて低い温度となる寒冷地で運転した場合、熱交排気流路で結露し、氷結したとしても、熱交換器は非水溶性の材料で構成したため、結露水による劣化が防止され、熱交換器の基本性能を保持することができ、本来の氷結時の熱交換気運転を継続することができる。
【００２４】
また、本発明の請求項９に記載の熱交換形換気装置は、熱交換器は熱交排気流路を通風する排気流と熱交給気流路を通風する給気流との間で、温度と湿度を熱交換する非水溶性の全熱交換型の構成としたものであり、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化するため、排気流と給気流は、熱交換器内で温度差と湿度差が大きい状態で接触することがないため、熱交排気流路で結露し、氷結していくことの影響を受けにくくすることができる。
【００２５】
また、本発明の請求項１０に記載の熱交換形換気装置は、熱交換器は熱交排気流路と熱交給気流路の間に伝熱板を備え、伝熱板は非水溶性の透湿樹脂膜で構成したものであり、室外がきわめて低い温度となる寒冷地で運転した場合、熱交排気流路で結露し、氷結したとしても、伝熱板は非水溶性の透湿樹脂膜で構成したため、結露水による劣化が防止され、熱交換器の基本性能を保持することができ、本来の氷結時の熱交換気運転を継続することができる。
【００２６】
また、本発明の請求項１１に記載の熱交換形換気装置は、伝熱板を構成する透湿樹脂膜は非水溶性の多孔質樹脂膜の片面に、気体遮蔽性を有する非水溶性の親水性透湿樹脂膜を重合した２層構造の構成としたものであり、伝熱板は透湿樹脂膜の骨組みを非水溶性の多孔質樹脂膜が担い、この骨組みに気体遮蔽性と透湿性を有する非水溶性の親水性透湿樹脂膜を重合したことにより親水性透湿樹脂膜を薄くすることができ、２層構造の伝熱板は気体移行が少なく、且つ熱移動が高く、水蒸気のみについて選択的に透過抵抗を小さくすることができるので、気流の漏れを防止することができるとともに、顕熱交換効率および潜熱交換効率を向上することができる。また、多孔質樹脂膜は細孔を多数有するために、親水性透湿樹脂膜がこの細孔に入り込むように重合することができるので、２層構造の伝熱板はアンカー効果により重合強度を向上することができ、伝熱板は剥離を無くすことができる。また、伝熱板は非水溶性を有する多孔質樹脂膜および親水性透湿樹脂膜で構成されているため、結露を繰り返すような環境においても、伝熱板を構成する成分が保持され、透湿性、気体遮蔽性などの基本性能を保持することができる。従って、室外がきわめて低い温度となる寒冷地で運転した場合、熱交排気流路で結露し、氷結したとしても、熱交換器は、結露水による劣化が防止され、熱交換器の基本性能を保持することができ、本来の氷結時の熱交換気運転を継続することができる。また、熱交換器は、顕熱交換効率および潜熱交換効率を向上することができるため、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化することにより、排気流と給気流は、熱交換器内で温度差と湿度差が大きい状態で接触することがないため、熱交排気流路で結露し、氷結していくことの影響を一層受けにくくすることができる。
【００２７】
また、本発明の請求項１２に記載の熱交換形換気装置は、伝熱板を構成する透湿樹脂膜は前記多孔質樹脂膜の他面に、通気性の非水溶性の多孔質樹脂基材を重合した３層構造の構成としたものであり、通気性の非水溶性の多孔質樹脂基材は伝熱板としての強度を保持する役目を担い、気体遮蔽および温度と湿度を熱交換する機能を果たす多孔質樹脂膜および親水性透湿樹脂膜は更に薄膜化することができ、３層構造の伝熱板は気体移行が少なく、且つ熱移動が高く、水蒸気のみについて選択的に透過抵抗を小さくすることができるので、気流の漏れを防止することができるとともに、顕熱交換効率および潜熱交換効率を一層向上することができる。また、多孔質樹脂膜は細孔を多数有するために、多孔質樹脂基材が細孔に入り込むように重合することができるので、３層構造の伝熱板はアンカー効果により重合強度を向上することができ、伝熱板は剥離を無くすことができる。また、伝熱板は非水溶性を有する多孔質樹脂膜、親水性透湿樹脂膜および多孔質樹脂基材で構成されているため、結露を繰り返すような環境においても、伝熱板を構成する成分が保持され、透湿性、気体遮蔽性などの基本性能を保持することができる。従って、室外がきわめて低い温度となる寒冷地で運転した場合、熱交排気流路で結露し、氷結したとしても、熱交換器は、結露水による劣化が防止され、熱交換器の基本性能を保持することができ、本来の氷結時の熱交換気運転を継続することができる。また、熱交換器は、顕熱交換効率および潜熱交換効率を向上することができるため、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化することにより、排気流と給気流は、熱交換器内で温度差と湿度差が大きい状態で接触することがないため、熱交排気流路で結露し、氷結していくことの影響を一層受けにくくすることができる。
【００２８】
また、本発明の請求項１３に記載の熱交換形換気装置は、伝熱板を構成する透湿樹脂膜は前記親水性透湿樹脂膜の片面に、通気性の非水溶性の多孔質樹脂基材を重合した３層構造の構成としたものであり、通気性の非水溶性の多孔質樹脂基材は伝熱板としての強度を保持する役目を担い、気体遮蔽および温度と湿度を熱交換する機能を果たす多孔質樹脂膜および親水性透湿樹脂膜は更に薄膜化することができ、３層構造の伝熱板は気体移行が少なく、且つ熱移動が高く、水蒸気のみについて選択的に透過抵抗を小さくすることができるので、気流の漏れを防止することができるとともに、顕熱交換効率および潜熱交換効率を一層向上することができる。また、伝熱板は非水溶性を有する多孔質樹脂膜、親水性透湿樹脂膜および多孔質樹脂基材で構成されているため、結露を繰り返すような環境においても、伝熱板を構成する成分が保持され、透湿性、気体遮蔽性などの基本性能を保持することができる。従って、室外がきわめて低い温度となる寒冷地で運転した場合、熱交排気流路で結露し、氷結したとしても、熱交換器は、結露水による劣化が防止され、熱交換器の基本性能を保持することができ、本来の氷結時の熱交換気運転を継続することができる。また、熱交換器は、顕熱交換効率および潜熱交換効率を向上することができるため、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化することにより、排気流と給気流は、熱交換器内で温度差と湿度差が大きい状態で接触することがないため、熱交排気流路で結露し、氷結していくことの影響を一層受けにくくすることができる。
【００２９】
また、本発明の請求項１４に記載の熱交換形換気装置は、多孔質樹脂膜はポリテトラフルオロエチレンの構成としたものであり、ポリテトラフルオロエチレンの多孔質材料は細孔が小さく、空隙率が大きな薄膜に形成することができるため、透湿樹脂膜の骨組みを多孔質樹脂膜が担い、この骨組みに気体遮蔽性と透湿性を有する親水性透湿樹脂膜を重合することにより親水性透湿樹脂膜を非常に薄くすることができ、伝熱板は気体移行が少なく、且つ熱移動が高く、水蒸気のみについて選択的に透過抵抗を小さくすることができるので、気流の漏れを防止することができるとともに、顕熱交換効率および潜熱交換効率を向上することができる。またポリテトラフルオロエチレンの多孔質材料は水に対して安定的な材料であり、結露を繰り返すような環境においても、伝熱板を構成する成分が保持され、透湿性、気体遮蔽性などの基本性能を保持することができる。従って、室外がきわめて低い温度となる寒冷地で運転した場合、熱交排気流路で結露し、氷結したとしても、熱交換器は、結露水による劣化が防止され、熱交換器の基本性能を保持することができ、本来の氷結時の熱交換気運転を継続することができる。また、熱交換器は、顕熱交換効率および潜熱交換効率を向上することができるため、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化することにより、排気流と給気流は、熱交換器内で温度差と湿度差が大きい状態で接触することがないため、熱交排気流路で結露し、氷結していくことの影響を一層受けにくくすることができる。
【００３０】
また、本発明の請求項１５に記載の熱交換形換気装置は、熱交換器は熱交排気流路および熱交給気流路の流路の間隔を分割する非水溶性の分割リブを備えた構成としたものであり、排気流は熱交換器の熱交排気流路において分割リブにより分割して流路を通風し、給気流は熱交換器の熱交給気流路において分割リブにより分割して流路を通風するため、排気流および給気流は熱交排気流路および熱交給気流路の分割された流路に沿って均一に通風することができ、熱交換器内の伝熱面積を有効に活用することができるため、熱交換効率を向上することができる。従って、熱交換器は、熱交換効率を向上することができるため、室外がきわめて低い温度となる寒冷地で運転した場合、きわめて低い温度ときわめて少ない湿度を含む給気流は、室内の温かい湿度を含む排気流によって熱交換して室内温度と室内湿度の近くまで空気の状態が変化し、室内の温かい湿度を含む排気流は、きわめて低い温度ときわめて少ない湿度を含む給気流によって熱交換して室外温度と室外湿度の近くまで空気の状態が変化することにより、排気流と給気流は、熱交換器内で温度差と湿度差が大きい状態で接触することがないため、熱交排気流路で結露し、氷結していくことの影響を一層受けにくくすることができる。
【００３１】
また、本発明の請求項１６に記載の熱交換形換気装置は、分割リブは非水溶性の樹脂で構成したものであり、室外がきわめて低い温度となる寒冷地で運転した場合、熱交排気流路で結露し、氷結したとしても、分割リブは非水溶性の樹脂で構成したため、結露水による劣化が防止され、熱交換器の基本性能を保持することができ、本来の氷結時の熱交換気運転を継続することができる。
【００３２】
また、本発明の請求項１７に記載の熱交換形換気装置は、熱交換器は熱交給気流路より熱交排気流路の積層高さを高くした構成としたものであり、室外がきわめて低い温度となる寒冷地で運転した場合、熱交排気流路で結露し、氷結したとしても、熱交排気流路の積層高さは熱交給気流路より高いため、熱交排気流路は結露水や氷によって塞がれ、通風できなることを回避することができ、本来の氷結時の熱交換気運転を継続することができる。
【００３３】
以下、本発明の実施の形態について、図１〜図１０を参照しながら説明する。
【００３４】
（実施の形態１）
図１に示すように、熱交換形換気装置１は、第一の本体箱２ａと、第二の本体箱２ｂを備え、第一の本体箱２ａは、第一の熱交換器３ａと、第一の送風機４ａと、第一の室内排気口５ａと、第一の室外排気口６ａと、第一の室外給気口７ａと、第一の室内給気口８ａと、第一の排気流遮蔽手段として第一の室外排気口遮蔽ダンパー２４ａと、第一の給気流遮蔽手段として第一の室外給気口遮蔽ダンパー２５ａと第一の室内給気口遮蔽ダンパー２６ａを備えた構成である。
【００３５】
第一の本体箱２ａの内部は、第一の送風機４ａは第一の電動機１４ａの回転軸に固着された第一の排気羽根１５ａによって室内の空気を室外へ排出する第一の排気流１６ａを通風させる第一の排気流の経路１７ａと、同じく第一の電動機１４ａの回転軸に固着された第一の給気羽根１８ａによって室外の空気を室内に給気する第一の給気流１９ａを通風させる第一の給気流の経路２０ａとを、一箇所で対向するように形成し、この対向する箇所に、第一の排気流１６ａが通過する第一の熱交排気流路２１ａと第一の給気流１９ａが通過する第一の熱交給気流路２２ａとを備えた第一の熱交換器３ａを設けている。第一の熱交換器３ａは第一の熱交排気流路２１ａと第一の熱交給気流路２２ａが交互に複数積層して形成されている。第一の排気流の経路１７ａにおいて、第一の室外排気口遮蔽ダンパー２４ａは第一の室外排気口６ａの遮蔽と開放を行う構成である。そして、第一の排気流１６ａにおいて室内の空気を第一の熱交排気流路２１ａの上流側とした場合、第一の室外排気口遮蔽ダンパー２４ａは第一の熱交排気流路２１ａの下流側の遮蔽と開放を行う。また、第一の給気流の経路２０ａにおいて、第一の室外給気口遮蔽ダンパー２５ａは第一の室外給気口７ａの遮蔽と開放を行い、第一の室内給気口遮蔽ダンパー２６ａは第一の室内給気口８ａの遮蔽と開放を行う構成である。そして、第一の給気流１９ａにおいて室外の空気を第一の熱交給気流路２２ａの上流側とした場合、第一の室外給気口遮蔽ダンパー２５ａは第一の熱交給気流路２２ａの上流側の遮蔽と開放を行い、第一の室内給気口遮蔽ダンパー２６ａは第一の熱交給気流路２２ａの下流側の遮蔽と開放を行う。
【００３６】
上記のように構成された熱交換形換気装置１の第一の本体箱２ａを図２に示し、熱交換気運転について、以下に説明する。
【００３７】
図２に示すように、第一の排気流１６ａ（図中の実線矢印）において室内の空気を第一の熱交排気流路２１ａの上流側とした場合、第一の排気流１６ａは、室内の空気（ＲＡ）が第一の室内排気口５ａから第一の熱交排気流路２１ａの上流側へ流入し、第一の熱交排気流路２１ａを通過する時に第一の給気流１９ａと熱交換して、第一の熱交排気流路２１ａの下流側へ排気の空気（ＥＡ）となって流出し、第一の室外排気口６ａから室外へ吐出する第一の排気流の経路１７ａを形成している。また、第一の給気流１９ａ（図中の破線矢印）において室外の空気を第一の熱交給気流路２２ａの上流側とした場合、第一の給気流１９ａは、室外の空気（ＯＡ）が第一の室外給気口７ａから第一の熱交給気流路２２ａの上流側へ流入し、第一の熱交給気流路２２ａを通過する時に第一の排気流１６ａと熱交換して、第一の熱交給気流路２２ａの下流側へ給気の空気（ＳＡ）となって流出し、第一の室内給気口８ａから室内へ吐出する第一の給気流の経路２０ａを形成している。
【００３８】
ここで、第一の本体箱２ａは、第一の還流口として第一の排気還流口２９ａと、第一の還流遮蔽手段として第一の排気還流遮蔽ダンパー３０ａを備えている。
【００３９】
そして、第一の熱交換気運転は、第一の還流口である第一の排気還流口２９ａを第一の還流遮蔽手段である第一の排気還流遮蔽ダンパー３０ａで遮蔽し、第一の室外排気口遮蔽ダンパー２４ａを開放し、第一の排気流１６ａは、第一の排気羽根１５ａによって第一の排気流の経路１７ａに通風され、第一の室外給気口遮蔽ダンパー２５ａと第一の室内給気口遮蔽ダンパー２６ａを開放し、第一の給気流１９ａは第一の給気羽根１８ａによって第一の給気流の経路２０ａに通風されることにより、第一の熱交換器３ａが第一の排気流１６ａと第一の給気流１９ａとの間で熱交換しながら、室内空気の排気と室外空気の給気を行う。
【００４０】
ここで、室外がきわめて低い温度となる寒冷地において、図２で説明した第一の熱交換気運転を継続すると、室内の温かい湿度を含む第一の排気流１６ａは、きわめて低い温度の第一の給気流１９ａによって、第一の熱交排気流路２１ａで徐々に結露し氷結していく。氷結していくと熱交換気機能がわずかずつ低下して、本来の熱交換気運転を継続することができなくなる。
【００４１】
そこで、上記のように構成された熱交換形換気装置１の第一の本体箱２ａを図３に示し、寒冷地における冬季のデフロスト運転について、以下に説明する。
【００４２】
図３に示すように、第一の排気流１６ａ（図２）において室内の空気を第一の熱交排気流路２１ａの上流側とした場合、第一の室内空気循環流２７ａ（図中の点線矢印）は、第一の熱交排気流路２１ａの上流側から第一の熱交換器３ａに室内空気を通過させ、第一の熱交排気流路２１ａの下流側から室内に戻す第一の排気流循環経路を形成する。第一の排気流循環経路において、第一の排気還流口２９ａは第一の熱交排気流路２１ａの下流側に設け、第一の排気還流遮蔽ダンパー３０ａは第一の排気還流口２９ａの遮蔽と開放を行うことで、第一の室内空気循環流２７ａの第一の排気流循環経路の遮蔽と開放を行う構成である。
【００４３】
第一の排気流循環経路を用いた第一のデフロスト運転は、図３に示すように第一の室内空気循環流２７ａは、第一の排気羽根１５ａによって室内の空気（ＲＡ）が第一の室内排気口５ａから第一の熱交排気流路２１ａの上流側へ流入し、第一の熱交排気流路２１ａを通過する時に、第一の熱交排気流路２１ａの結露や氷結を融解、乾燥させ、次に第一の熱交排気流路２１ａの下流側から第一の排気還流口２９ａを通過して室内へ戻る。この時のダンパーの開閉は、第一の排気還流遮蔽ダンパー３０ａは開放し、第一の室外排気口遮蔽ダンパー２４ａと第一の室外給気口遮蔽ダンパー２５ａは遮蔽し、第一の室内給気口遮蔽ダンパー２６ａは遮蔽および／または開放を行う。
【００４４】
図３に示した第一のデフロスト運転は、ダンパーの開閉について、第一の排気流遮蔽手段は、第一の排気流の経路１７ａ（図２）の少なくとも第一の熱交排気流路２１ａの下流側を遮蔽し、すなわち、第一の室外排気口遮蔽ダンパー２４ａを遮蔽する構成とし、第一の給気流遮蔽手段は、第一の給気流の経路２０ａ（図２）の少なくとも第一の熱交給気流路２２ａの上流側を遮蔽し、すなわち、第一の室外給気口遮蔽ダンパー２５ａを遮蔽する構成とする。
【００４５】
上記のように構成された熱交換形換気装置１の第一の本体箱２ａの運転制御の構成を図２に示し、以下に説明する。
【００４６】
第一の本体箱２ａは図２に示すように、第一の検知手段は、第一の排気流１６ａの室内温度および／または室内湿度を検知する第一の室内環境検知手段３７ａと、第一の給気流１９ａの室外温度を検知する第一の室外温度検知手段３８ａである。第一の室内環境検知手段３７ａは、第一の排気流１６ａの第一の室内排気口５ａ近傍に設け、第一の室外温度検知手段３８ａは第一の給気流１９ａの第一の室外給気口７ａ近傍に設けている。
【００４７】
ここで、上記のように構成された熱交換形換気装置１の第二の本体箱２ｂの構成について、以下に説明する。
【００４８】
第二の本体箱２ｂは第一の本体箱２ａと同じ構成であり、詳細な説明や図面は省略する。第二の本体箱２ｂは、第二の熱交換器３ｂと、第二の送風機４ｂと、第二の室内排気口５ｂと、第二の室外排気口６ｂと、第二の室外給気口７ｂと、第二の室内給気口８ｂと、第二の還流口として第二の排気還流口２９ｂ、第二の排気流遮蔽手段として第二の室外排気口遮蔽ダンパー２４ｂと、第二の給気流遮蔽手段として第二の室外給気口遮蔽ダンパー２５ｂと第二の室内給気口遮蔽ダンパー２６ｂと、第二の還流遮蔽手段として第二の排気還流遮蔽ダンパー３０ｂと、第二の検知手段として第二の室内環境検知手段３７ｂと、第二の室外温度検知手段３８ｂと、第二の電動機１４ｂと、第二の排気羽根１５ｂと、第二の排気流１６ｂと、第二の排気流の経路１７ｂと、第二の給気羽根１８ｂと、第二の給気流１９ｂと、第二の給気流の経路２０ｂと、第二の熱交排気流路２１ｂと、第二の熱交給気流路２２ｂと、第二の室内空気循環流２７ｂを備えた構成である。
【００４９】
上記のように構成された熱交換形換気装置１の第一の本体箱２ａおよび第二の本体箱２ｂの運転制御について、以下に説明する。
【００５０】
この明細書では、室外がきわめて低い温度となる寒冷地で、第一および／または第二の熱交排気流路２１ａ、２１ｂにおいて結露や氷結が起こる時は、第一の本体箱２ａを用いた熱交換気運転は、第一の氷結時の熱交換気運転とし、第二の本体箱２ｂを用いた熱交換気運転は、第二の氷結時の熱交換気運転とし、第一の本体箱２ａを用いたデフロスト運転は、第一のデフロスト運転とし、第二の本体箱２ｂを用いたデフロスト運転は、第二のデフロスト運転とする。また、室外の温度が高く、第一および第二の熱交排気流路２１ａ、２１ｂにおいて結露や氷結が起こらない時は、第一の本体箱２ａと第二の本体箱２ｂを用いた通常時の熱交換気運転とする。なお、第一の本体箱２ａを用いた熱交換気運転については、第一の氷結時の熱交換気運転および通常時の熱交換気運転は、第一の本体箱２ａの構成や通風の仕方は同様とし、第二の本体箱２ｂを用いた熱交換気運転については、第二の氷結時の熱交換気運転および通常時の熱交換気運転は、第二の本体箱２ｂの構成や通風の仕方は同様とする。
【００５１】
熱交換形換気装置１は運転を開始すると、第一の本体箱２ａの第一の熱交換器３ａと、第二の本体箱２ｂの第二の熱交換器３ｂの二つの熱交換器を用いた通常時の熱交換気運転を行う。第一および第二の本体箱２ａ、２ｂは、第一および第二の排気流１６ａ、１６ｂの室内温度および／または室内湿度を、第一および／または第二の室内環境検知手段３７ａ、３７ｂによって検知していき、また、第一および／または第二の給気流１９ａ、１９ｂの室外温度を、第一および／または第二の室外温度検知手段３８ａ、３８ｂによって検知していく。
【００５２】
ここで、室外がきわめて低い温度となる寒冷地では、通常時の熱交換気運転を継続すると、室内の温かい湿度を含む第一および／または第二の排気流１６ａ、１６ｂは、きわめて低い温度の第一および／または第二の給気流１９ａ、１９ｂによって、第一および／または第二の熱交排気流路２１ａ、２１ｂで徐々に結露し氷結していく。第一および／または第二の熱交排気流路２１ａ、２１ｂで結露し氷結していくことによって、第一および／または第二の熱交排気流路２１ａ、２１ｂで氷結の影響を受けるような室外温度と室内環境（室内温度および／または室内湿度）の関係を予め実験、計算などにより設定しておく。
【００５３】
そして、室外温度が徐々に低下していき、第一および／または第二の室内環境検知手段３７ａ、３７ｂと第一および／または第二の室外温度検知手段３８ａ、３８ｂによって、第一および／または第二の熱交排気流路２１ａ、２１ｂにおいて結露や氷結の影響を受けるような室外温度と室内環境（室内温度および／または室内湿度）の関係を検知すると、一方の本体箱の熱交換器は氷結時の熱交換気運転を行い、他方の本体箱の熱交換器はデフロスト運転を行い、第一および／または第二の熱交排気流路２１ａ、２１ｂが結露や氷結による影響がなくなるまで、氷結時の熱交換気運転とデフロスト運転を順次切り換えて運転する。
【００５４】
そして、室外温度が上昇し、第一および／または第二の室内環境検知手段３７ａ、３７ｂと第一および／または第二の室外温度検知手段３８ａ、３８ｂによって、第一および第二の熱交排気流路２１ａ、２１ｂにおいて結露や氷結の影響を受けないような室外温度と室内環境（室内温度および／または室内湿度）の関係を検知すると、第一の本体箱２ａの第一の熱交換器３ａと、第二の本体箱２ｂの第二の熱交換器３ｂの二つの熱交換器を用いた通常時の熱交換気運転を行う。
【００５５】
なお、熱交換形換気装置１の運転制御は、第一の本体箱２ａに備えた第一の室内環境検知手段３７ａおよび第一の室外温度検知手段３８ａと、第二の本体箱２ｂに備えた第二の室内環境検知手段３７ｂおよび第二の室外温度検知手段３８ｂを両方用いても、いずれかを用いても、第一および／または第二の熱交排気流路２１ａ、２１ｂにおいて結露や氷結を検知し、結露や氷結による影響がなくなるまで、氷結時の熱交換気運転とデフロスト運転を順次切り換えて運転すれば、その作用効果に差異はない。
【００５６】
また、熱交換形換気装置１は、第一および／または第二の熱交排気流路２１ａ、２１ｂにおける結露や氷結の影響を検知する第一および／または第二の検知手段として、第一および／または第二の室内環境検知手段３７ａ、３７ｂと第一および／または第二の室外温度検知手段３８ａ、３８ｂを用いて運転制御を行うと説明したが、第一および／または第二の熱交排気流路２１ａ、２１ｂにおける結露や氷結の影響を検知することができれば、その他の検知手段を用いても良い。
【００５７】
上記のように構成された熱交換形換気装置１の寒冷地における冬季の氷結時の熱交換気運転およびデフロスト運転を図４に示し、以下に説明する。
【００５８】
図４ａ、図４ｂに示した熱交換形換気装置１の運転は、図２に示した第一の熱交換器３ａと第二の熱交換器３ｂを交互に用いた第一および第二の氷結時の熱交換気運転と、図３に示した第一および第二の排気流循環経路を用いた第一および第二のデフロスト運転である。
【００５９】
図４ａに示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて第一の氷結時の熱交換気運転を行い、第二の熱交換器３ｂには室内空気の第二の室内空気循環流２７ｂ（図中の点線矢印）が通風され、第二の熱交換器３ｂは第二の排気流循環経路を用いた第二のデフロスト運転を行っている。
【００６０】
第二の熱交換器３ｂ内では、第二の熱交排気流路２１ｂを流れる温かい第二の室内空気循環流２７ｂによって結露や氷結を融解し乾燥していき、温かい第二の室内空気循環流２７ｂのみが流れていたので、当初の結露や氷結がなくなり、乾燥した正常な状態に復帰する。
【００６１】
室外の温度が０℃未満となるような低温時に第一の氷結時の熱交換気運転を継続すると、第一の熱交換器３ａは冷たい第一の給気流１９ａによって温かい第一の排気流１６ａの流れる第一の熱交排気流路２１ａで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００６２】
次に図４ｂに示すように、熱交換形換気装置１は、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて第二の氷結時の熱交換気運転を行い、第一の熱交換器３ａには室内空気の第一の室内空気循環流２７ａ（図中の点線矢印）が通風され、第一の熱交換器３ａは第一の排気流循環経路を用いた第一のデフロスト運転を行っている。
【００６３】
第一の熱交換器３ａは、図４ａの運転により、第一の熱交排気流路２１ａに結露や氷結が起こっていても、第一の熱交換器３ａ内では、第一の熱交排気流路２１ａを流れる温かい第一の室内空気循環流２７ａによって結露や氷結を融解し乾燥していき、温かい第一の室内空気循環流２７ａのみが流れていたので、当初の結露や氷結がなくなり、乾燥した正常な状態に復帰する。
【００６４】
室外の温度が０℃未満となるような低温時に第二の氷結時の熱交換気運転を継続すると、第二の熱交換器３ｂは冷たい第二の給気流１９ｂによって温かい第二の排気流１６ｂの流れる第二の熱交排気流路２１ｂで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００６５】
図４ａおよび図４ｂに示した氷結時の熱交換気運転とデフロスト運転を順次切り換えることにより、室外がきわめて低い温度となる寒冷地で運転した場合でも、第一および第二の熱交排気流路２１ａ、２１ｂでの結露や氷結の影響を受けにくくして、本来の氷結時の熱交換気運転を継続することができる。
【００６６】
上記のように構成された熱交換形換気装置１の通常時の熱交換気運転を図５に示し、以下に説明する。
【００６７】
図５に示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて通常時の熱交換気運転を行い、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて通常時の熱交換気運転を行っている。
【００６８】
通常時の熱交換気運転の第一および第二の熱交換器３ａ、３ｂに通風させる第一および第二の排気流１６ａ、１６ｂと第一および第二の給気流１９ａ、１９ｂの風量は、前記説明した第一および第二の氷結時の熱交換気運転の第一および第二の熱交換器３ａ、３ｂに通風させる第一および第二の排気流１６ａ、１６ｂと第一および第二の給気流１９ａ、１９ｂの風量と等しい構成とする。例えば、家屋に換気風量が１００ｍ３／ｈ必要な場合、熱交換形換気装置１は、通常時の熱交換気運転は、第一の熱交換器３ａに通風させる第一の排気流１６ａの風量は５０ｍ３／ｈ、第一の給気流１９ａの風量は５０ｍ３／ｈとし、第二の熱交換器３ｂに通風させる第二の排気流１６ｂの風量は５０ｍ３／ｈ、第二の給気流１９ｂの風量は５０ｍ３／ｈとする。また、熱交換形換気装置１は、氷結時の熱交換気運転は、第一の熱交換器３ａが使用されている時は、第一の熱交換器３ａに通風させる第一の排気流１６ａの風量は１００ｍ３／ｈ、第一の給気流１９ａの風量は１００ｍ３／ｈとし、第二の熱交換器３ｂが使用されている時は、第二の熱交換器３ｂに通風させる第二の排気流１６ｂの風量は１００ｍ３／ｈ、第二の給気流１９ｂの風量は１００ｍ３／ｈとする。この構成により、熱交換形換気装置１は、室外がきわめて低い温度となる寒冷地や室外の温度が高い時など、地域や時期に関わらず、家屋やビルなどに必要な換気風量を熱回収しながら得ることができる。
【００６９】
また、通常時の熱交換気運転は、第一および第二の排気流１６ａ、１６ｂと第一および第二の給気流１９ａ、１９ｂは第一および第二の熱交換器３ａ、３ｂに対して一度通風させる構成とする。すなわち、熱交換形換気装置１に通風される排気流の風量および給気流の風量は、第一の熱交換器３ａに通風させる第一の排気流１６ａの風量および第一の給気流１９ａの風量と、第二の熱交換器３ｂに通風させる第二の排気流１６ｂの風量および第二の給気流１９ｂの風量に分散される構成である。
【００７０】
この明細書では、第一の本体箱２ａの第一の熱交換器３ａと第二の本体箱２ｂの第二の熱交換器３ｂの二つの熱交換器を用いて、氷結時の熱交換気運転および通常時の熱交換気運転について説明したが、二つ以上の複数の熱交換器を用いて、熱交排気流路において結露や氷結が起こる時は、熱交換器は氷結時の熱交換気運転を行い、他の熱交換器は熱交排気流路内の結露や氷結のデフロスト運転を行い、複数の熱交換器にて氷結時の熱交換気運転とデフロスト運転を順次切り換える構成とし、熱交排気流路において結露や氷結が起こらない時は、複数の熱交換器を用いて通常時の熱交換気運転を行う構成とする熱交換形換気装置であれば、その作用効果に差異はない。
【００７１】
図６に示すように、第一の熱交換器３ａは、第一の熱交排気流路２１ａと、第一の熱交給気流路２２ａと、第一の熱交排気単位素子３９ａと、第一の熱交給気単位素子４０ａと、第一の伝熱板４１ａと、第一の分割リブ４２ａと、第一の流入口４３ａと、第一の吐出口４４ａを備えた構成であり、図６の第一の熱交換器３ａは、第一の熱交排気単位素子３９ａと第一の熱交給気単位素子４０ａを交互に積層接着した状態を示す。
【００７２】
そして、第一の熱交換器３ａは、第一の熱交排気単位素子３９ａと第一の熱交給気単位素子４０ａに分解した状態を図７に示す。図７は第一の熱交換器３ａの説明のために、第一の熱交排気単位素子３９ａと第一の熱交給気単位素子４０ａを４枚に分解して示した。
第一の熱交排気単位素子３９ａは、矩形の第一の伝熱板４１ａの表面において、矩形の短辺に第一の流入口４３ａを備え、第一の熱交排気流路２１ａはこの第一の流入口４３ａと連通するＬ字状の風路を形成し、この第一の熱交排気流路２１ａの他端であって、矩形の長辺に第一の吐出口４４ａを備えた構成である。そして、第一の熱交排気流路２１ａは第一の分割リブ４２ａにて流路の間隔を分割した構成である。
【００７３】
また、第一の熱交給気単位素子４０ａは、矩形の第一の伝熱板４１ａの表面において、矩形の短辺に第一の流入口４３ａを備え、第一の熱交給気流路２２ａはこの第一の流入口４３ａと連通するＬ字状の風路を形成し、この第一の熱交給気流路２２ａの他端であって、矩形の長辺に第一の吐出口４４ａを備えた構成である。そして、第一の熱交給気流路２２ａは第一の分割リブ４２ａにて流路の間隔を分割した構成である。
【００７４】
ここで、第一の熱交排気単位素子３９ａと第一の熱交給気単位素子４０ａは平面視折り返した関係に構成され、図７の第一の熱交排気単位素子３９ａと第一の熱交給気単位素子４０ａを交互に積層接着すると、図６に示した第一の熱交換器３ａが得られる。すなわち、第一の熱交換器３ａは、第一の熱交排気単位素子３９ａのＬ字状の第一の熱交排気流路２１ａと、第一の熱交給気単位素子４０ａのＬ字状の第一の熱交給気流路２２ａが平面視折り返した関係に構成される。また、第一の熱交換器３ａは、第一の熱交排気流路２１ａの第一の流入口４３ａと第一の熱交給気流路２２ａの第一の流入口４３ａが離れている構成であり、第一の熱交排気流路２１ａの第一の流入口４３ａと第一の熱交給気流路２２ａの第一の吐出口４４ａが隣接し、第一の熱交給気流路２２ａの第一の流入口４３ａと第一の熱交排気流路２１ａの第一の吐出口４４ａが隣接する構成である。また、第一の熱交換器３ａは、第一の熱交排気流路２１ａと第一の熱交給気流路２２ａの間に第一の伝熱板４１ａが形成される。
【００７５】
ここで、図１および図２で説明したように、第一の本体箱２ａの内部の第一の送風機４ａを駆動させると、第一の熱交換器３ａは、室内の空気を室外へ排出する第一の排気流１６ａと、室外の空気を室内に給気する第一の給気流１９ａが、第一の熱交換器３ａに備えた第一の熱交排気流路２１ａと第一の熱交給気流路２２ａで対向するように通風される対向流方式である。第一の熱交換器３ａは、第一の伝熱板４１ａを介して、第一の熱交排気流路２１ａを通風する第一の排気流１６ａと第一の熱交給気流路２２ａを通風する第一の給気流１９ａとの間で、温度と湿度を対向流方式で熱交換する全熱交換型である。第一の熱交換器３ａは、熱交換器の一定容積内で熱交換効率を高くすることができる対向流方式に加え、温度と湿度を熱交換する全熱交換型であるため、例えば、室外がきわめて低い温度となる寒冷地で運転した場合、きわめて低い温度ときわめて少ない湿度を含む第一の給気流１９ａは、室内の温かい湿度を含む第一の排気流１６ａによって熱交換して室内温度と室内湿度の近くまで空気の状態を変化させ、室内の温かい湿度を含む第一の排気流１６ａは、きわめて低い温度ときわめて少ない湿度を含む第一の給気流１９ａによって熱交換して室外温度と室外湿度の近くまで空気の状態を変化させることがでる。
【００７６】
第一の分割リブ４２ａは非水溶性の樹脂で構成される。そして、第一の熱交排気単位素子３９ａおよび第一の熱交給気単位素子４０ａは、第一の伝熱板４１ａを射出成形機に挿入して樹脂にて一体成形するインサート射出成形工法で成形することができる。この樹脂としては非水溶性の熱可塑性樹脂を適用し、樹脂の種類としては、ポリエステル系、ポリスチレン系のＡＢＳ、ＡＳ、ＰＳ、またはポリオレフィン系のＰＰ、ＰＥなどが用いられる。また熱可塑性樹脂の中にガラス繊維または炭素繊維の無機充填剤を添加した樹脂を用いても良い。無機充填剤の添加量は樹脂の重量に対して１〜５０重量％、更に好ましくは１０〜３０重量％である。この樹脂に無機充填剤を添加すると、樹脂成形で形成された第一の熱交排気単位素子３９ａおよび第一の熱交給気単位素子４０ａは強度と反りや収縮性の物性が向上するとともに、一体成形する第一の伝熱板４１ａと第一の分割リブ４２ａを構成するこの樹脂との接着性が向上する。これは化学結合による接着性が向上するのではなく、無機充填剤と第一の伝熱板４１ａとの繊維の絡まりが強くなった物理結合が向上するものである。無機充填剤の添加量は樹脂の重量に対して多く混入すると、樹脂成形品の強度と反りや収縮性の物性が向上するが、５０重量％以上になると、射出成形する時の溶融した樹脂の流動性が低下する。そのため、目的とする形状の樹脂成形品が得られない場合があり、無機充填剤の添加量は樹脂成形品の必要強度、樹脂物性、射出成形機の仕様などにより適宜決定する。実施の形態１では、第一の分割リブ４２ａを構成する樹脂は、非水溶性のポリエステル系樹脂にガラス繊維を１０重量％添加した樹脂を用いる。
【００７７】
図６〜図１０に第一の伝熱板４１ａを示す。第一の伝熱板４１ａは、厚さが０．２〜０．０１ｍｍ、好ましくは０．１〜０．０１ｍｍの伝熱性、透湿性、気体遮蔽性を有する非水溶性の透湿樹脂膜で構成される。第一の伝熱板４１ａを構成する非水溶性の透湿樹脂膜としては、ＰＰ、ＰＥ、ＰＥＴ、ＰＴＦＥ、エーテル系ポリウレタンなどを素材とし、非水溶性に処理した多孔質樹脂シート、またはエーテル系のポリウレタン系樹脂、エーテル系のポリエステル系樹脂などを素材とし、非水溶性に処理した無孔質樹脂シートとする。
【００７８】
図６および図７の第一の伝熱板４１ａは、具体的には例えば、エーテル系のポリエステル系樹脂を素材とした厚さ０．０５ｍｍの、非水溶性に処理した無孔質樹脂シートの透湿樹脂膜で構成される。
【００７９】
第一の伝熱板４１ａは第一の分割リブ４２ａを構成する非水溶性の樹脂と一体成形することにより、第一の熱交排気単位素子３９ａおよび第一の熱交給気単位素子４０ａが形成されるため、第一の伝熱板４１ａの透湿樹脂膜と第一の分割リブ４２ａを構成する樹脂は同じ素材または同系列の樹脂素材にすることが好ましく、更に熱可塑性樹脂にすることが好ましい。すなわち、第一の伝熱板４１ａおよび第一の分割リブ４２ａを構成する樹脂を熱可塑性樹脂にすることにより、熱接着することが容易に行える。そのため、第一の熱交換器３ａは加工工程が少なくなり、量産性を向上することができる。
【００８０】
図８に示すように、第一の伝熱板４１ａは、非水溶性の多孔質樹脂膜４５の片面に、気体遮蔽性を有する非水溶性の親水性透湿樹脂膜４６を重合した２層構造で構成される。多孔質樹脂膜４５としては、ＰＰ、ＰＥ、ＰＥＴ、ＰＴＦＥなどを素材とした多孔質樹脂シートを用いる。特に、多孔質樹脂膜４５として、孔径が小さく、非常に空隙率を大きくでき、膜厚を薄くでき、水に対して安定的なＰＴＦＥ（ポリテトラフルオロエチレン）が好ましい。気体遮蔽性を有する非水溶性の親水性透湿樹脂膜４６としては、エーテル系のポリウレタン系樹脂、エーテル系のポリエステル系樹脂などを素材とする。
【００８１】
図８の第一の伝熱板４１ａは、具体的には例えば、ＰＴＦＥを素材とした厚さ０．０２ｍｍの多孔質樹脂膜４５の片面に、エーテル系のポリウレタン系樹脂またはポリエステル系樹脂を厚さ０．０１ｍｍに薄く形成した親水性透湿樹脂膜４６を重合した２層構造である。この明細書における重合とは、膜と膜をつなぎ合わせること。すなわち、多孔質樹脂膜４５と親水性透湿樹脂膜４６をヒートシールやラミネートなどの加工によって構造的な密着状態とすることである。
【００８２】
図９に示すように、第一の伝熱板４１ａは、図８で説明した非水溶性の多孔質樹脂膜４５の片面に気体遮蔽性を有する非水溶性の親水性透湿樹脂膜４６を重合した２層構造の第一の伝熱板４１ａの、多孔質樹脂膜４５の他面に、通気性の非水溶性の多孔質樹脂基材４７を重合した３層構造で構成される。
【００８３】
通気性の非水溶性の多孔質樹脂基材４７としては、ＰＥＴなどのポリエステル系樹脂、ＰＰ、ＰＥなどのポリオレフィン系樹脂などを素材とした熱可塑性樹脂である不織布を用いる。不織布の坪量は１０〜１００ｇ／ｍ2、好ましくは１５〜４０ｇ／ｍ2である。不織布の厚みは基材としての強度を満たす限り極力薄いことが好ましい。不織布で構成された通気性の多孔質樹脂基材４７は、不織布の樹脂繊維間同士の間隔を粗く、すなわち広くすることができるため、温度と湿度を熱交換する際に影響をほとんど受けない材料である。
【００８４】
多孔質樹脂基材４７は、具体的には例えば、坪量３０ｇ／ｍ2、厚さ０．１ｍｍのＰＥＴの不織布を用いる。図８で説明した２層構造の第一の伝熱板４１ａと多孔質樹脂基材４７の重合は、ヒートシール加工を用いて成形する。多孔質樹脂基材４７の不織布は、多孔質樹脂膜４５のＰＴＦＥの細孔に入り込むように重合することができるので、アンカー効果により重合強度を向上することができ、剥離がなくなることで、第一の伝熱板４１ａは基本性能を長期に保持することができる。
【００８５】
図１０に示すように、第一の伝熱板４１ａは、図８で説明した非水溶性の多孔質樹脂膜４５の片面に気体遮蔽性を有する非水溶性の親水性透湿樹脂膜４６を重合した２層構造の第一の伝熱板４１ａの、親水性透湿樹脂膜４６の面に、通気性の非水溶性の多孔質樹脂基材４７を重合した３層構造で構成される。
【００８６】
多孔質樹脂基材４７は、具体的には例えば、坪量３０ｇ／ｍ2、厚さ０．１ｍｍのＰＥＴを素材とした不織布を用いる。図８で説明した２層構造の第一の伝熱板４１ａと多孔質樹脂基材４７の重合は、ヒートシール加工を用いて成形する。
【００８７】
図１０の第一の伝熱板４１ａは、図８で説明した２層構造の第一の伝熱板４１ａを構成する親水性透湿樹脂膜４６の面を凹凸にし、凹凸にした親水性透湿樹脂膜４６の面に、多孔質樹脂基材４７を重合した３層構造としてもよい。そのために、放電加工にて、親水性透湿樹脂膜４６の表面を粗すようにして凹凸にする。親水性透湿樹脂膜４６はエーテル系のポリウレタン系樹脂またはポリエステル系樹脂などを材料とし、厚さ０．０１ｍｍの薄膜に形成しているため、放電加工による凹凸化は親水性透湿樹脂膜４６にピンホールができない程度に行う。これにより、透湿性、気体遮蔽性などの基本性能を保持しつつ、親水性透湿樹脂膜４６と多孔質樹脂基材４７を重合する表面積を増やせる。従って、第一の伝熱板４１ａを構成する３層構造は、重合強度を向上することができ、剥離がなくなることで、第一の伝熱板４１ａは基本性能を長期に保持することができる。そして、結露を繰り返すような環境においても、結露水による劣化が防止され、第一の伝熱板４１ａの剥離が無く、気流の漏れを防止するなどの基本性能を保持することができる。
【００８８】
また、図１０の第一の伝熱板４１ａは、図８で説明した２層構造の第一の伝熱板４１ａを構成する親水性透湿樹脂膜４６の面に、耐水性を有する接着剤を用いて多孔質樹脂基材４７を点接着した、３層構造としてもよい。点接着した部分は接着剤によって水蒸気が透過できないため、点接着は親水性透湿樹脂膜４６と多孔質樹脂基材４７とが剥離しない程度に行い、水蒸気が透過できる第一の伝熱板４１ａの有効面積の減少を極力少なくする。これにより、第一の伝熱板４１ａを構成する３層構造は、潜熱交換効率の低下を抑えつつ接着強度を向上することができる。また、接着剤は耐水性を有するため多湿環境でも剥離することが無く、第一の伝熱板４１ａとしての基本性能を長期に保持することができる。そして、結露を繰り返すような環境においても、結露水による劣化が防止され、第一の伝熱板４１ａの剥離が無く、気流の漏れを防止するなどの基本性能を保持することができる。
【００８９】
ここで、第二の熱交換器３ｂは第一の熱交換器３ａと同じ構成であり、詳細な説明や図面は省略する。第二の熱交換器３ｂは、第二の熱交排気流路２１ｂと、第二の熱交給気流路２２ｂと、第二の熱交排気単位素子３９ｂと、第二の熱交給気単位素子４０ｂと、第二の伝熱板４１ｂと、第二の分割リブ４２ｂと、第二の流入口４３ｂと、第二の吐出口４４ｂを備えた構成である。また、第二の伝熱板４１ｂは、第一の伝熱板４１ａと同じ構成であり、詳細な説明や図面は省略する。
【００９０】
上記のように構成された熱交換形換気装置１の作用と効果について、以下に説明する。
【００９１】
熱交換形換気装置１は、第一および／または第二の熱交排気流路２１ａ、２１ｂにおいて結露や氷結が起こる時は、第一の熱交換器３ａは第一の氷結時の熱交換気運転を行い、第二の熱交換器３ｂは第二のデフロスト運転を行い、その後、第二の熱交換器３ｂは第二の氷結時の熱交換気運転を行い、第一の熱交換器３ａは第一のデフロスト運転を行い、第一および第二の熱交換器３ａ、３ｂにて第一および第二の氷結時の熱交換気運転と第一および第二のデフロスト運転を順次切り換える構成とし、第一および第二の熱交排気流路２１ａ、２１ｂにおいて結露や氷結が起こらない時は、第一および第二の熱交換器３ａ、３ｂを用いて通常時の熱交換気運転を行う構成とし、第一および第二の熱交換器３ａ、３ｂは、第一および第二の熱交排気流路２１ａ、２１ｂの第一および第二の流入口４３ａ、４３ｂと第一および第二の熱交給気流路２２ａ、２２ｂの第一および第二の流入口４３ａ、４３ｂとが離れた構成としたものであり、室外がきわめて低い温度となる寒冷地で運転した場合、室内の温かい湿度を含む第一および第二の排気流１６ａ、１６ｂが流入する第一および第二の熱交排気流路２１ａ、２１ｂの第一および第二の流入口４３ａ、４３ｂと、きわめて低い温度の第一および第二の給気流１９ａ、１９ｂが流入する第一および第二の熱交給気流路２２ａ、２２ｂの第一および第二の流入口４３ａ、４３ｂが離れた構成のため、第一および第二の排気流１６ａ、１６ｂと第一および第二の給気流１９ａ、１９ｂは、第一および第二の熱交換器３ａ、３ｂ内で温度差と湿度差が最も大きい状態で接触することがないため、第一および第二の熱交排気流路２１ａ、２１ｂで結露し、氷結していくことの影響を受けにくくすることにより、氷結時の熱交換気運転を長く行えるため、本来の熱交換換気を継続して実施することができる。更に、室外がきわめて低い温度となる寒冷地で運転した場合、複数の熱交換器にて氷結時の熱交換気運転とデフロスト運転を順次切り換える構成としたことで、第一および第二の熱交排気流路２１ａ、２１ｂでの氷結の影響を受けにくくして、本来の第一および第二の氷結時の熱交換気運転を継続することができ、また、室外の温度が高い場合、第一および第二の熱交換器３ａ、３ｂを用いて通常時の熱交換気運転をすることにより、高い熱交換効率を得ることができる。
【００９２】
また、熱交換形換気装置１は、第一および第二の熱交換器３ａ、３ｂは第一および第二の熱交排気流路２１ａ、２１ｂの第一および第二の流入口４３ａ、４３ｂと第一および第二の熱交給気流路２２ａ、２２ｂの第一および第二の吐出口４４ａ、４４ｂが隣接し、第一および第二の熱交給気流路２２ａ、２２ｂの第一および第二の流入口４３ａ、４３ｂと第一および第二の熱交排気流路２１ａ、２１ｂの第一および第二の吐出口４４ａ、４４ｂが隣接する構成としたものであり、第一および第二の熱交換器３ａ、３ｂの一定容積内で第一および第二の熱交排気流路２１ａ、２１ｂと第一および第二の熱交給気流路２２ａ、２２ｂの接触面積を広くすることができるため、第一および第二の熱交換器３ａ、３ｂの熱交換効率を高くすることができ、室外がきわめて低い温度となる寒冷地で運転した場合、きわめて低い温度の第一および第二の給気流１９ａ、１９ｂは、室内の温かい第一および第二の排気流１６ａ、１６ｂによって熱交換して室内温度近くまで上昇し、室内の温かい排気流１６ａ、１６ｂは、きわめて低い温度の第一および第二の給気流１９ａ、１９ｂによって熱交換して室外温度近くまで下降するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【００９３】
また、熱交換形換気装置１は、第一および第二の熱交換器３ａ、３ｂは第一および第二の熱交排気流路２１ａ、２１ｂを通風する第一および第二の排気流１６ａ、１６ｂと第一および第二の熱交給気流路２２ａ、２２ｂを通風する第一および第二の給気流１９ａ、１９ｂとが対向する構成としたものであり、第一および第二の熱交換器３ａ、３ｂの一定容積内で直交流方式や並行流方式よりも熱交換効率を高くすることができる対向流方式により、第一および第二の熱交換器３ａ、３ｂの熱交換効率を高くすることができるため、室外がきわめて低い温度となる寒冷地で運転した場合、第一および第二の熱交排気流路２１ａ、２１ｂで結露し、氷結していくことの影響を受けにくくすることができる。
【００９４】
また、熱交換形換気装置１は、第一および第二の熱交換器３ａ、３ｂは第一および第二の熱交排気流路２１ａ、２１ｂおよび第一および第二の熱交給気流路２２ａ、２２ｂをＬ字状の構成としたものであり、第一および第二の熱交換器３ａ、３ｂの一定容積内で熱交換効率を高くすることができる対向流方式に加え、第一および第二の熱交排気流路２１ａ、２１ｂの第一および第二の流入口４３ａ、４３ｂと第一および第二の熱交給気流路２２ａ、２２ｂの第一および第二の流入口４３ａ、４３ｂとが離れ、第一および第二の熱交排気流路２１ａ、２１ｂの第一および第二の流入口４３ａ、４３ｂと第一および第二の熱交給気流路２２ａ、２２ｂの第一および第二の吐出口４４ａ、４４ｂが隣接し、第一および第二の熱交給気流路２２ａ、２２ｂの第一および第二の流入口４３ａ、４３ｂと第一および第二の熱交排気流路２１ａ、２１ｂの第一および第二の吐出口４４ａ、４４ｂが隣接する第一および第二の熱交換器３ａ、３ｂの構成が得られる。従って、室外がきわめて低い温度となる寒冷地で運転した場合、室内の温かい湿度を含む第一および第二の排気流１６ａ、１６ｂが流入する第一および第二の熱交排気流路２１ａ、２１ｂの第一および第二の流入口４３ａ、４３ｂと、きわめて低い温度の給気流１９ａ、１９ｂが流入する第一および第二の熱交給気流路２２ａ、２２ｂの第一および第二の流入口４３ａ、４３ｂが離れているため、第一および第二の排気流１６ａ、１６ｂと第一および第二の給気流１９ａ、１９ｂは、第一および第二の熱交換器３ａ、３ｂ内で温度差と湿度差が最も大きい状態で接触することがないため、第一および第二の熱交排気流路２１ａ、２１ｂで結露し、氷結していくことの影響を受けにくくすることができる。また、第一および第二の熱交換器３ａ、３ｂの一定容積内で第一および第二の熱交排気流路２１ａ、２１ｂと第一および第二の熱交給気流路２２ａ、２２ｂの接触面積を広くすることができるため、第一および第二の熱交換器３ａ、３ｂの熱交換効率を高くすることができ、室外がきわめて低い温度となる寒冷地で運転した場合、きわめて低い温度の第一および第二の給気流１９ａ、１９ｂは、室内の温かい第一および第二の排気流１６ａ、１６ｂによって熱交換して室内温度近くまで上昇し、室内の温かい第一および第二の排気流１６ａ、１６ｂは、きわめて低い温度の第一および第二の給気流１９ａ、１９ｂによって熱交換して室外温度近くまで下降するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【００９５】
また、熱交換形換気装置１は、第一および第二の熱交換器３ａ、３ｂはＬ字状の第一および第二の熱交排気流路２１ａ、２１ｂとＬ字状の第一および第二の熱交給気流路２２ａ、２２ｂが平面視折り返した関係の構成としたものであり、第一および第二の熱交換器３ａ、３ｂの一定容積内で熱交換効率を高くすることができる対向流方式に加え、第一および第二の熱交排気流路２１ａ、２１ｂの第一および第二の流入口４３ａ、４３ｂと第一および第二の熱交給気流路２２ａ、２２ｂの第一および第二の流入口４３ａ、４３ｂとが離れ、第一および第二の熱交排気流路２１ａ、２１ｂの第一および第二の流入口４３ａ、４３ｂと第一および第二の熱交給気流路２２ａ、２２ｂの第一および第二の吐出口４４ａ、４４ｂが隣接し、第一および第二の熱交給気流路２２ａ、２２ｂの第一および第二の流入口４３ａ、４３ｂと第一および第二の熱交排気流路２１ａ、２１ｂの第一および第二の吐出口４４ａ、４４ｂが隣接する第一および第二の熱交換器３ａ、３ｂの構成が得られる。従って、室外がきわめて低い温度となる寒冷地で運転した場合、室内の温かい湿度を含む第一および第二の排気流１６ａ、１６ｂが流入する第一および第二の熱交排気流路２１ａ、２１ｂの第一および第二の流入口４３ａ、４３ｂと、きわめて低い温度の給気流１９ａ、１９ｂが流入する第一および第二の熱交給気流路２２ａ、２２ｂの第一および第二の流入口４３ａ、４３ｂが離れているため、第一および第二の排気流１６ａ、１６ｂと第一および第二の給気流１９ａ、１９ｂは、第一および第二の熱交換器３ａ、３ｂ内で温度差と湿度差が最も大きい状態で接触することがないため、第一および第二の熱交排気流路２１ａ、２１ｂで結露し、氷結していくことの影響を受けにくくすることができる。また、第一および第二の熱交換器３ａ、３ｂの一定容積内で第一および第二の熱交排気流路２１ａ、２１ｂと第一および第二の熱交給気流路２２ａ、２２ｂの接触面積を広くすることができるため、第一および第二の熱交換器３ａ、３ｂの熱交換効率を高くすることができ、室外がきわめて低い温度となる寒冷地で運転した場合、きわめて低い温度の第一および第二の給気流１９ａ、１９ｂは、室内の温かい第一および第二の排気流１６ａ、１６ｂによって熱交換して室内温度近くまで上昇し、室内の温かい第一および第二の排気流１６ａ、１６ｂは、きわめて低い温度の第一および第二の給気流１９ａ、１９ｂによって熱交換して室外温度近くまで下降するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【００９６】
また、熱交換形換気装置１は、第一および第二の熱交換器３ａ、３ｂは第一および第二の熱交排気流路２１ａ、２１ｂおよび第一および第二の熱交給気流路２２ａ、２２ｂの流路の間隔を分割する非水溶性の第一および第二の分割リブ４２ａ、４２ｂを備えた構成としたものであり、第一および第二の排気流１６ａ、１６ｂは第一および第二の熱交換器３ａ、３ｂの第一および第二の熱交排気流路２１ａ、２１ｂにおいて第一および第二の分割リブ４２ａ、４２ｂにより分割して流路を通風し、第一および第二の給気流１９ａ、１９ｂは第一および第二の熱交換器３ａ、３ｂの第一および第二の熱交給気流路２２ａ、２２ｂにおいて第一および第二の分割リブ４２ａ、４２ｂにより分割して流路を通風するため、第一および第二の排気流１６ａ、１６ｂおよび第一および第二の給気流１９ａ、１９ｂは第一および第二の熱交排気流路２１ａ、２１ｂおよび第一および第二の熱交給気流路２２ａ、２２ｂの分割された流路に沿って均一に通風することができ、第一および第二の熱交換器３ａ、３ｂ内の伝熱面積を有効に活用することができるため、熱交換効率を向上することができる。従って、第一および第二の熱交換器３ａ、３ｂは、熱交換効率を向上することができるため、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化することにより、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を一層受けにくくすることができる。
【００９７】
また、熱交換形換気装置１は、第一および第二の熱交換器３ａ、３ｂは第一および第二の伝熱板４１ａ、４１ｂと第一および第二の分割リブ４２ａ、４２ｂの非水溶性の材料で構成したものであり、室外がきわめて低い温度となる寒冷地で運転した場合、第一および第二の熱交排気流路２１ａ、２１ｂで結露し、氷結したとしても、第一および第二の熱交換器３ａ、３ｂは非水溶性の材料で構成したため、結露水による劣化が防止され、第一および第二の熱交換器３ａ、３ｂの基本性能を保持することができ、本来の第一および第二の氷結時の熱交換気運転を継続することができる。
【００９８】
また、熱交換形換気装置１は、第一および第二の分割リブ４２ａ、４２ｂは非水溶性の樹脂で構成したものであり、室外がきわめて低い温度となる寒冷地で運転した場合、第一および第二の熱交排気流路２１ａ、２１ｂで結露し、氷結したとしても、第一および第二の分割リブ４２ａ、４２ｂは非水溶性の樹脂で構成したため、結露水による劣化が防止され、第一および第二の熱交換器３ａ、３ｂの基本性能を保持することができ、本来の第一および第二の氷結時の熱交換気運転を継続することができる。
【００９９】
また、熱交換形換気装置１は、第一および第二の熱交換器３ａ、３ｂは第一および第二の熱交排気流路２１ａ、２１ｂを通風する第一および第二の排気流１６ａ、１６ｂと第一および第二の熱交給気流路２２ａ、２２ｂを通風する第一および第二の給気流１９ａ、１９ｂとの間で、温度と湿度を熱交換する非水溶性の全熱交換型の構成としたものであり、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【０１００】
また、熱交換形換気装置１は、第一および第二の熱交換器３ａ、３ｂは第一および第二の熱交排気流路２１ａ、２１ｂと第一および第二の熱交給気流路２２ａ、２２ｂの間に第一および第二の伝熱板４１ａ、４１ｂを備え、第一および第二の伝熱板４１ａ、４１ｂは非水溶性の透湿樹脂膜で構成したものであり、室外がきわめて低い温度となる寒冷地で運転した場合、第一および第二の熱交排気流路２１ａ、２１ｂで結露し、氷結したとしても、第一および第二の伝熱板４１ａ、４１ｂは非水溶性の透湿樹脂膜で構成したため、結露水による劣化が防止され、第一および第二の熱交換器３ａ、３ｂの基本性能を保持することができ、本来の第一および第二の氷結時の熱交換気運転を継続することができる。
【０１０１】
また、熱交換形換気装置１は、第一および第二の伝熱板４１ａ、４１ｂを構成する透湿樹脂膜は非水溶性の多孔質樹脂膜４５の片面に、気体遮蔽性を有する非水溶性の親水性透湿樹脂膜４６を重合した２層構造の構成としたものであり、第一および第二の伝熱板４１ａ、４１ｂは透湿樹脂膜の骨組みを非水溶性の多孔質樹脂膜４５が担い、この骨組みに気体遮蔽性と透湿性を有する非水溶性の親水性透湿樹脂膜４６を重合したことにより親水性透湿樹脂膜４６を薄くすることができ、２層構造の第一および第二の伝熱板４１ａ、４１ｂは気体移行が少なく、且つ熱移動が高く、水蒸気のみについて選択的に透過抵抗を小さくすることができるので、気流の漏れを防止することができるとともに、顕熱交換効率および潜熱交換効率を向上することができる。また、多孔質樹脂膜４５は細孔を多数有するために、親水性透湿樹脂膜４６がこの細孔に入り込むように重合することができるので、２層構造の第一および第二の伝熱板４１ａ、４１ｂはアンカー効果により重合強度を向上することができ、第一および第二の伝熱板４１ａ、４１ｂは剥離を無くすことができる。また、第一および第二の伝熱板４１ａ、４１ｂは非水溶性を有する多孔質樹脂膜４５および親水性透湿樹脂膜４６で構成されているため、結露を繰り返すような環境においても、第一および第二の伝熱板４１ａ、４１ｂを構成する成分が保持され、透湿性、気体遮蔽性などの基本性能を保持することができる。従って、室外がきわめて低い温度となる寒冷地で運転した場合、第一および第二の熱交排気流路２１ａ、２１ｂで結露し、氷結したとしても、第一および第二の熱交換器３ａ、３ｂは、結露水による劣化が防止され、第一および第二の熱交換器３ａ、３ｂの基本性能を保持することができ、本来の第一および第二の氷結時の熱交換気運転を継続することができる。また、第一および第二の熱交換器３ａ、３ｂは、顕熱交換効率および潜熱交換効率を向上することができるため、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化することにより、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を一層受けにくくすることができる。
【０１０２】
また、熱交換形換気装置１は、図９の第一および第二の伝熱板４１ａ、４１ｂを構成する透湿樹脂膜は図８で説明した２層構造の第一および第二の伝熱板４１ａ、４１ｂの多孔質樹脂膜４５の他面に、通気性の非水溶性の多孔質樹脂基材４７を重合した３層構造の構成としたものであり、通気性の非水溶性の多孔質樹脂基材４７は第一および第二の伝熱板４１ａ、４１ｂとしての強度を保持する役目を担い、気体遮蔽および温度と湿度を熱交換する機能を果たす多孔質樹脂膜４５および親水性透湿樹脂膜４６は更に薄膜化することができ、図９の３層構造の第一および第二の伝熱板４１ａ、４１ｂは気体移行が少なく、且つ熱移動が高く、水蒸気のみについて選択的に透過抵抗を小さくすることができるので、気流の漏れを防止することができるとともに、顕熱交換効率および潜熱交換効率を一層向上することができる。また、多孔質樹脂膜４５は細孔を多数有するために、多孔質樹脂基材４７が細孔に入り込むように重合することができるので、３層構造の第一および第二の伝熱板４１ａ、４１ｂはアンカー効果により重合強度を向上することができ、第一および第二の伝熱板４１ａ、４１ｂは剥離を無くすことができる。また、第一および第二の伝熱板４１ａ、４１ｂは非水溶性を有する多孔質樹脂膜４５、親水性透湿樹脂膜４６および多孔質樹脂基材４７で構成されているため、結露を繰り返すような環境においても、第一および第二の伝熱板４１ａ、４１ｂを構成する成分が保持され、透湿性、気体遮蔽性などの基本性能を保持することができる。従って、室外がきわめて低い温度となる寒冷地で運転した場合、第一および第二の熱交排気流路２１ａ、２１ｂで結露し、氷結したとしても、第一および第二の熱交換器３ａ、３ｂは、結露水による劣化が防止され、第一および第二の熱交換器３ａ、３ｂの基本性能を保持することができ、本来の第一および第二の氷結時の熱交換気運転を継続することができる。また、第一および第二の熱交換器３ａ、３ｂは、顕熱交換効率および潜熱交換効率を向上することができるため、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化することにより、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を一層受けにくくすることができる。
【０１０３】
また、熱交換形換気装置１は、図１０の第一および第二の伝熱板４１ａ、４１ｂを構成する透湿樹脂膜は図８で説明した２層構造の第一および第二の伝熱板４１ａ、４１ｂの親水性透湿樹脂膜４６の片面に、通気性の非水溶性の多孔質樹脂基材４７を重合した３層構造の構成としたものであり、通気性の非水溶性の多孔質樹脂基材４７は第一および第二の伝熱板４１ａ、４１ｂとしての強度を保持する役目を担い、気体遮蔽および温度と湿度を熱交換する機能を果たす多孔質樹脂膜４５および親水性透湿樹脂膜４６は更に薄膜化することができ、図１０の３層構造の第一および第二の伝熱板４１ａ、４１ｂは気体移行が少なく、且つ熱移動が高く、水蒸気のみについて選択的に透過抵抗を小さくすることができるので、気流の漏れを防止することができるとともに、顕熱交換効率および潜熱交換効率を一層向上することができる。また、第一および第二の伝熱板４１ａ、４１ｂは非水溶性を有する多孔質樹脂膜４５、親水性透湿樹脂膜４６および多孔質樹脂基材４７で構成されているため、結露を繰り返すような環境においても、第一および第二の伝熱板４１ａ、４１ｂを構成する成分が保持され、透湿性、気体遮蔽性などの基本性能を保持することができる。従って、室外がきわめて低い温度となる寒冷地で運転した場合、第一および第二の熱交排気流路２１ａ、２１ｂで結露し、氷結したとしても、第一および第二の熱交換器３ａ、３ｂは、結露水による劣化が防止され、第一および第二の熱交換器３ａ、３ｂの基本性能を保持することができ、本来の第一および第二の氷結時の熱交換気運転を継続することができる。また、第一および第二の熱交換器３ａ、３ｂは、顕熱交換効率および潜熱交換効率を向上することができるため、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化することにより、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を一層受けにくくすることができる。
【０１０４】
また、熱交換形換気装置１は、多孔質樹脂膜４５はポリテトラフルオロエチレンの構成としたものであり、ポリテトラフルオロエチレンの多孔質材料は細孔が小さく、空隙率が大きな薄膜に形成することができるため、透湿樹脂膜の骨組みを多孔質樹脂膜４５が担い、この骨組みに気体遮蔽性と透湿性を有する親水性透湿樹脂膜４６を重合することにより親水性透湿樹脂膜４６を非常に薄くすることができ、図８〜図１０の第一および第二の伝熱板４１ａ、４１ｂは気体移行が少なく、且つ熱移動が高く、水蒸気のみについて選択的に透過抵抗を小さくすることができるので、気流の漏れを防止することができるとともに、顕熱交換効率および潜熱交換効率を向上することができる。またポリテトラフルオロエチレンの多孔質材料は水に対して安定的な材料であり、結露を繰り返すような環境においても、図８〜図１０の第一および第二の伝熱板４１ａ、４１ｂを構成する成分が保持され、透湿性、気体遮蔽性などの基本性能を保持することができる。従って、室外がきわめて低い温度となる寒冷地で運転した場合、第一および第二の熱交排気流路２１ａ、２１ｂで結露し、氷結したとしても、第一および第二の熱交換器３ａ、３ｂは、結露水による劣化が防止され、第一および第二の熱交換器３ａ、３ｂの基本性能を保持することができ、本来の第一および第二の氷結時の熱交換気運転を継続することができる。また、第一および第二の熱交換器３ａ、３ｂは、顕熱交換効率および潜熱交換効率を向上することができるため、室外がきわめて低い温度となる寒冷地で運転した場合、きわめて低い温度ときわめて少ない湿度を含む第一および第二の給気流１９ａ、１９ｂは、室内の温かい湿度を含む第一および第二の排気流１６ａ、１６ｂによって熱交換して室内温度と室内湿度の近くまで空気の状態が変化し、室内の温かい湿度を含む第一および第二の排気流１６ａ、１６ｂは、きわめて低い温度ときわめて少ない湿度を含む第一および第二の給気流１９ａ、１９ｂによって熱交換して室外温度と室外湿度の近くまで空気の状態が変化することにより、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を一層受けにくくすることができる。
【０１０５】
（実施の形態２）
次に、本発明の実施の形態２について、図１１および図１２を用いて説明する。図１１は第一の熱交換器３ａの概略斜視図であり、図１２は第一の熱交換器３ａの概略分解斜視図である。
【０１０６】
実施の形態１と同一部分は同一番号とし、同一の作用効果を有するものとし、詳細な説明は省略する。
【０１０７】
図１１に示すように、第一の熱交換器３ａは、第一の熱交排気流路２１ａと、第一の熱交給気流路２２ａと、第一の熱交排気単位素子３９ａと、第一の熱交給気単位素子４０ａと、第一の伝熱板４１ａと、第一の分割リブ４２ａと、第一の流入口４３ａと、第一の吐出口４４ａを備えた構成であり、図１１の第一の熱交換器３ａは、第一の熱交排気単位素子３９ａと第一の熱交給気単位素子４０ａを交互に積層接着した状態を示す。
【０１０８】
そして、第一の熱交換器３ａは、第一の熱交排気単位素子３９ａと第一の熱交給気単位素子４０ａに分解した状態を図１２に示す。図１２は第一の熱交換器３ａの説明のために、第一の熱交排気単位素子３９ａと第一の熱交給気単位素子４０ａを４枚に分解して示した。
【０１０９】
第一の熱交排気単位素子３９ａは、矩形の第一の伝熱板４１ａの表面において、矩形の短辺に第一の流入口４３ａを備え、第一の熱交排気流路２１ａはこの第一の流入口４３ａと連通するＬ字状の風路を形成し、この第一の熱交排気流路２１ａの他端であって、矩形の長辺に第一の吐出口４４ａを備えた構成である。そして、第一の熱交排気流路２１ａは第一の分割リブ４２ａにて流路の間隔を分割した構成である。
【０１１０】
また、第一の熱交給気単位素子４０ａは、矩形の第一の伝熱板４１ａの表面において、矩形の短辺に第一の流入口４３ａを備え、第一の熱交給気流路２２ａはこの第一の流入口４３ａと連通するＬ字状の風路を形成し、この第一の熱交給気流路２２ａの他端であって、矩形の長辺に第一の吐出口４４ａを備えた構成である。そして、第一の熱交給気流路２２ａは第一の分割リブ４２ａにて流路の間隔を分割した構成である。
【０１１１】
ここで、第一の熱交排気単位素子３９ａと第一の熱交給気単位素子４０ａは平面的に１８０度回転した関係に構成され、図１２の第一の熱交排気単位素子３９ａと第一の熱交給気単位素子４０ａを交互に積層接着すると、図１１に示した第一の熱交換器３ａが得られる。すなわち、第一の熱交換器３ａは、第一の熱交排気単位素子３９ａのＬ字状の第一の熱交排気流路２１ａと、第一の熱交給気単位素子４０ａのＬ字状の第一の熱交給気流路２２ａが平面的に１８０度回転した関係に構成される。また、第一の熱交換器３ａは、第一の熱交排気流路２１ａの第一の流入口４３ａと第一の熱交給気流路２２ａの第一の流入口４３ａが離れている構成であり、第一の熱交排気流路２１ａの第一の流入口４３ａと第一の熱交給気流路２２ａの第一の吐出口４４ａが隣接し、第一の熱交給気流路２２ａの第一の流入口４３ａと第一の熱交排気流路２１ａの第一の吐出口４４ａが隣接する構成である。また、第一の熱交換器３ａは、第一の熱交排気流路２１ａと第一の熱交給気流路２２ａの間に第一の伝熱板４１ａが形成される。
【０１１２】
ここで、実施の形態１の第一の熱交換器３ａの第一の排気流１６ａおよび第一の給気流１９ａと、実施の形態２の第一の熱交換器３ａの第一の排気流１６ａおよび第一の給気流１９ａの通風方向が異なるため、実施の形態１の図１〜図３で説明した第一の本体箱２ａの構成は第一の排気流１６ａおよび第一の給気流１９ａの通風方向によって適宜変更するものとする。すなわち、第一の本体箱２ａの構成要素である第一の排気流の経路１７ａ、第一の給気流の経路２０ａ、第一の室内排気口５ａ、第一の室内給気口８ａ、第一の室内給気口遮蔽ダンパー２６ａ、第一の室内環境検知手段３７ａなどの位置関係を第一の排気流１６ａおよび第一の給気流１９ａの通風方向によって適宜変更する。
【０１１３】
上記のように構成された熱交換形換気装置１の作用と効果について、以下に説明する。
【０１１４】
熱交換形換気装置１は、第一および第二の熱交換器３ａ、３ｂはＬ字状の第一および第二の熱交排気流路２１ａ、２１ｂとＬ字状の第一および第二の熱交給気流路２２ａ、２２ｂが平面的に１８０度回転した関係の構成としたものであり、第一および第二の熱交換器３ａ、３ｂの一定容積内で熱交換効率を高くすることができる対向流方式に加え、第一および第二の熱交排気流路２１ａ、２１ｂの第一および第二の流入口４３ａ、４３ｂと第一および第二の熱交給気流路２２ａ、２２ｂの第一および第二の流入口４３ａ、４３ｂとが離れ、第一および第二の熱交排気流路２１ａ、２１ｂの第一および第二の流入口４３ａ、４３ｂと第一および第二の熱交給気流路２２ａ、２２ｂの第一および第二の吐出口４４ａ、４４ｂが隣接し、第一および第二の熱交給気流路２２ａ、２２ｂの第一および第二の流入口４３ａ、４３ｂと第一および第二の熱交排気流路２１ａ、２１ｂの第一および第二の吐出口４４ａ、４４ｂが隣接する第一および第二の熱交換器３ａ、３ｂの構成が得られる。従って、室外がきわめて低い温度となる寒冷地で運転した場合、室内の温かい湿度を含む第一および第二の排気流１６ａ、１６ｂが流入する第一および第二の熱交排気流路２１ａ、２１ｂの第一および第二の流入口４３ａ、４３ｂと、きわめて低い温度の給気流１９ａ、１９ｂが流入する第一および第二の熱交給気流路２２ａ、２２ｂの第一および第二の流入口４３ａ、４３ｂが離れているため、第一および第二の排気流１６ａ、１６ｂと第一および第二の給気流１９ａ、１９ｂは、第一および第二の熱交換器３ａ、３ｂ内で温度差と湿度差が最も大きい状態で接触することがないため、第一および第二の熱交排気流路２１ａ、２１ｂで結露し、氷結していくことの影響を受けにくくすることができる。また、第一および第二の熱交換器３ａ、３ｂの一定容積内で第一および第二の熱交排気流路２１ａ、２１ｂと第一および第二の熱交給気流路２２ａ、２２ｂの接触面積を広くすることができるため、第一および第二の熱交換器３ａ、３ｂの熱交換効率を高くすることができ、室外がきわめて低い温度となる寒冷地で運転した場合、きわめて低い温度の第一および第二の給気流１９ａ、１９ｂは、室内の温かい第一および第二の排気流１６ａ、１６ｂによって熱交換して室内温度近くまで上昇し、室内の温かい第一および第二の排気流１６ａ、１６ｂは、きわめて低い温度の第一および第二の給気流１９ａ、１９ｂによって熱交換して室外温度近くまで下降するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【０１１５】
（実施の形態３）
次に、本発明の実施の形態３について、図１３および図１４を用いて説明する。図１３は第一の熱交換器３ａの概略斜視図であり、図１４は第一の熱交換器３ａの概略分解斜視図である。
【０１１６】
実施の形態１および実施の形態２と同一部分は同一番号とし、同一の作用効果を有するものとし、詳細な説明は省略する。
【０１１７】
図１３に示すように、第一の熱交換器３ａは、第一の熱交排気流路２１ａと、第一の熱交給気流路２２ａと、第一の熱交排気単位素子３９ａと、第一の熱交給気単位素子４０ａと、第一の伝熱板４１ａと、第一の分割リブ４２ａと、第一の流入口４３ａと、第一の吐出口４４ａを備えた構成であり、図１３の第一の熱交換器３ａは、第一の熱交排気単位素子３９ａと第一の熱交給気単位素子４０ａを交互に積層接着した状態を示す。
【０１１８】
そして、第一の熱交換器３ａは、第一の熱交排気単位素子３９ａと第一の熱交給気単位素子４０ａに分解した状態を図１４に示す。図１４は第一の熱交換器３ａの説明のために、第一の熱交排気単位素子３９ａと第一の熱交給気単位素子４０ａを４枚に分解して示した。
【０１１９】
第一の熱交排気単位素子３９ａは、六角形の第一の伝熱板４１ａの表面において、六角形の一辺に第一の流入口４３ａを備え、第一の熱交排気流路２１ａはこの第一の流入口４３ａと連通するＳ字状の風路を形成し、この第一の熱交排気流路２１ａの他端であって、六角形の一辺に第一の吐出口４４ａを備えた構成である。そして、第一の熱交排気流路２１ａは第一の分割リブ４２ａにて流路の間隔を分割した構成である。
【０１２０】
また、第一の熱交給気単位素子４０ａは、六角形の第一の伝熱板４１ａの表面において、六角形の一辺に第一の流入口４３ａを備え、第一の熱交給気流路２２ａはこの第一の流入口４３ａと連通するＳ字状の風路を形成し、この第一の熱交給気流路２２ａの他端であって、六角形の一辺に第一の吐出口４４ａを備えた構成である。そして、第一の熱交給気流路２２ａは第一の分割リブ４２ａにて流路の間隔を分割した構成である。
【０１２１】
ここで、第一の熱交排気単位素子３９ａと第一の熱交給気単位素子４０ａは平面視折り返した関係に構成され、図１４の第一の熱交排気単位素子３９ａと第一の熱交給気単位素子４０ａを交互に積層接着すると、図１３に示した第一の熱交換器３ａが得られる。すなわち、第一の熱交換器３ａは、第一の熱交排気単位素子３９ａのＳ字状の第一の熱交排気流路２１ａと、第一の熱交給気単位素子４０ａのＳ字状の第一の熱交給気流路２２ａが平面視折り返した関係に構成される。また、第一の熱交換器３ａは、第一の熱交排気流路２１ａの第一の流入口４３ａと第一の熱交給気流路２２ａの第一の流入口４３ａが離れている構成であり、第一の熱交排気流路２１ａの第一の流入口４３ａと第一の熱交給気流路２２ａの第一の吐出口４４ａが隣接し、第一の熱交給気流路２２ａの第一の流入口４３ａと第一の熱交排気流路２１ａの第一の吐出口４４ａが隣接する構成である。また、第一の熱交換器３ａは、第一の熱交排気流路２１ａと第一の熱交給気流路２２ａの間に第一の伝熱板４１ａが形成される。
【０１２２】
なお、実施の形態３では、第一の熱交換器３ａは第一の熱交排気単位素子３９ａと第一の熱交給気単位素子４０ａを平面視折り返した関係の構成で説明したが、第一の熱交換器３ａは、第一の熱交排気単位素子３９ａと第一の熱交給気単位素子４０ａを平面的に１８０度回転した関係の構成でも良い。すなわち、第一の熱交排気流路２１ａの第一の流入口４３ａと第一の熱交給気流路２２ａの第一の流入口４３ａが離れている構成で、第一の熱交排気流路２１ａの第一の流入口４３ａと第一の熱交給気流路２２ａの第一の吐出口４４ａが隣接し、第一の熱交給気流路２２ａの第一の流入口４３ａと第一の熱交排気流路２１ａの第一の吐出口４４ａが隣接する構成の対向流方式の熱交換器であれば、その作用効果に差異はない。
【０１２３】
上記のように構成された熱交換形換気装置１の作用と効果について、以下に説明する。
【０１２４】
熱交換形換気装置１は、第一および第二の熱交換器３ａ、３ｂは第一および第二の熱交排気流路２１ａ、２１ｂおよび第一および第二の熱交給気流路２２ａ、２２ｂをＳ字状の構成としたものであり、第一および第二の熱交換器３ａ、３ｂの一定容積内で熱交換効率を高くすることができる対向流方式に加え、第一および第二の熱交排気流路２１ａ、２１ｂの第一および第二の流入口４３ａ、４３ｂと第一および第二の熱交給気流路２２ａ、２２ｂの第一および第二の流入口４３ａ、４３ｂとが離れ、第一および第二の熱交排気流路２１ａ、２１ｂの第一および第二の流入口４３ａ、４３ｂと第一および第二の熱交給気流路２２ａ、２２ｂの第一および第二の吐出口４４ａ、４４ｂが隣接し、第一および第二の熱交給気流路２２ａ、２２ｂの第一および第二の流入口４３ａ、４３ｂと第一および第二の熱交排気流路２１ａ、２１ｂの第一および第二の吐出口４４ａ、４４ｂが隣接する第一および第二の熱交換器３ａ、３ｂの構成が得られる。従って、室外がきわめて低い温度となる寒冷地で運転した場合、室内の温かい湿度を含む第一および第二の排気流１６ａ、１６ｂが流入する第一および第二の熱交排気流路２１ａ、２１ｂの第一および第二の流入口４３ａ、４３ｂと、きわめて低い温度の給気流１９ａ、１９ｂが流入する第一および第二の熱交給気流路２２ａ、２２ｂの第一および第二の流入口４３ａ、４３ｂが離れているため、第一および第二の排気流１６ａ、１６ｂと第一および第二の給気流１９ａ、１９ｂは、第一および第二の熱交換器３ａ、３ｂ内で温度差と湿度差が最も大きい状態で接触することがないため、第一および第二の熱交排気流路２１ａ、２１ｂで結露し、氷結していくことの影響を受けにくくすることができる。また、第一および第二の熱交換器３ａ、３ｂの一定容積内で第一および第二の熱交排気流路２１ａ、２１ｂと第一および第二の熱交給気流路２２ａ、２２ｂの接触面積を広くすることができるため、第一および第二の熱交換器３ａ、３ｂの熱交換効率を高くすることができ、室外がきわめて低い温度となる寒冷地で運転した場合、きわめて低い温度の第一および第二の給気流１９ａ、１９ｂは、室内の温かい第一および第二の排気流１６ａ、１６ｂによって熱交換して室内温度近くまで上昇し、室内の温かい第一および第二の排気流１６ａ、１６ｂは、きわめて低い温度の第一および第二の給気流１９ａ、１９ｂによって熱交換して室外温度近くまで下降するため、第一および第二の排気流１６ａ、１６ｂと第一および第二の給気流１９ａ、１９ｂは、第一および第二の熱交換器３ａ、３ｂ内で温度差と湿度差が大きい状態で接触することがないため、第一および第二の熱交排気流路２１ａ、２１ｂで結露し、氷結していくことの影響を受けにくくすることができる。
【０１２５】
（実施の形態４）
次に、本発明の実施の形態４について、図１５を用いて説明する。図１５は第一の熱交換器３ａの第一の熱交排気流路２１ａと第一の熱交給気流路２２ａとが対向する部分の概略断面図である。
【０１２６】
実施の形態１、実施の形態２および実施の形態３と同一部分は同一番号とし、同一の作用効果を有するものとし、詳細な説明は省略する。
【０１２７】
図１５に示すように、第一の熱交換器３ａは、第一の熱交排気単位素子３９ａの第一の熱交排気流路２１ａの積層高さをＨとし、第一の熱交給気単位素子４０ａの第一の熱交給気流路２２ａの積層高さをＬとした場合、第一の熱交給気流路２２ａの積層高さＬより、第一の熱交排気流路２１ａの積層高さＨを高くした構成である。これは、第一の熱交排気単位素子３９ａの第一の熱交排気流路２１ａを形成する第一の分割リブ４２ａの凸高さを、第一の熱交給気単位素子４０ａの第一の熱交給気流路２２ａを形成する第一の分割リブ４２ａの凸高さより、高くすることで形成することができる。
【０１２８】
上記のように構成された熱交換形換気装置１の作用と効果について、以下に説明する。
【０１２９】
熱交換形換気装置１は、第一および第二の熱交換器３ａ、３ｂは第一および第二の熱交給気流路２２ａ、２２ｂより第一および第二の熱交排気流路２１ａ、２１ｂの積層高さを高くした構成としたものであり、室外がきわめて低い温度となる寒冷地で運転した場合、第一および第二の熱交排気流路２１ａ、２１ｂで結露し、氷結したとしても、第一および第二の熱交排気流路２１ａ、２１ｂの積層高さは第一および第二の熱交給気流路２２ａ、２２ｂより高いため、第一および第二の熱交排気流路２１ａ、２１ｂは結露水や氷によって塞がれ、通風できなることを回避することができ、本来の第一および第二の氷結時の熱交換気運転を継続することができる。
【産業上の利用可能性】
【０１３０】
本発明に係る熱交換形換気装置は、室外がきわめて低い温度であっても、本来の熱交換換気を継続して行うことができ、寒冷地の冬季に熱交換換気する換気装置として有用である。
【図面の簡単な説明】
【０１３１】
【図１】本発明の実施の形態１の熱交換形換気装置を示す断面図
【図２】同第一の本体箱の熱交換気運転を示す断面図
【図３】同第一の本体箱の第一の排気流循環経路を用いた第一のデフロスト運転を示す断面図
【図４】（ａ）同熱交換形換気装置の排気流循環経路を用いたデフロスト運転と氷結時の熱交換気運転を示す概略断面図、（ｂ）同熱交換形換気装置の排気流循環経路を用いたデフロスト運転と氷結時の熱交換気運転を示す概略断面図
【図５】同熱交換形換気装置の通常時の熱交換気運転を示す概略断面図
【図６】同第一の熱交換器を示す概略斜視図
【図７】同第一の熱交換器を示す概略分解斜視図
【図８】同第一の伝熱板の概略断面図を示す概略断面図
【図９】同第一の伝熱板の概略断面図を示す概略断面図
【図１０】同第一の伝熱板の概略断面図を示す概略断面図
【図１１】本発明の実施の形態２の第一の熱交換器を示す概略斜視図
【図１２】同第一の熱交換器を示す概略分解斜視図
【図１３】本発明の実施の形態３の第一の熱交換器を示す概略斜視図
【図１４】同第一の熱交換器を示す概略分解斜視図
【図１５】本発明の実施の形態４の第一の熱交換器を示す概略断面図
【図１６】従来の熱交換器ユニットを示す概略断面図
【図１７】従来の熱交換器を示す概略断面図
【符号の説明】
【０１３２】
１      熱交換形換気装置
２ａ    第一の本体箱
２ｂ    第二の本体箱
３ａ    第一の熱交換器
３ｂ    第二の熱交換器
４ａ    第一の送風機
４ｂ    第二の送風機
５ａ    第一の室内排気口
５ｂ    第二の室内排気口
６ａ    第一の室外排気口
６ｂ    第二の室外排気口
７ａ    第一の室外給気口
７ｂ    第二の室外給気口
８ａ    第一の室内給気口
８ｂ    第二の室内給気口
１４ａ  第一の電動機
１４ｂ  第二の電動機
１５ａ  第一の排気羽根
１５ｂ  第二の排気羽根
１６ａ  第一の排気流
１６ｂ  第二の排気流
１７ａ  第一の排気流の経路
１７ｂ  第二の排気流の経路
１８ａ  第一の給気羽根
１８ｂ  第二の給気羽根
１９ａ  第一の給気流
１９ｂ  第二の給気流
２０ａ  第一の給気流の経路
２０ｂ  第二の給気流の経路
２１ａ  第一の熱交排気流路
２１ｂ  第二の熱交排気流路
２２ａ  第一の熱交給気流路
２２ｂ  第二の熱交給気流路
２４ａ  第一の室外排気口遮蔽ダンパー
２４ｂ  第二の室外排気口遮蔽ダンパー
２５ａ  第一の室外給気口遮蔽ダンパー
２５ｂ  第二の室外給気口遮蔽ダンパー
２６ａ  第一の室内給気口遮蔽ダンパー
２６ｂ  第二の室内給気口遮蔽ダンパー
２７ａ  第一の室内空気循環流
２７ｂ  第二の室内空気循環流
２９ａ  第一の排気還流口
２９ｂ  第二の排気還流口
３０ａ  第一の排気還流遮蔽ダンパー
３０ｂ  第二の排気還流遮蔽ダンパー
３７ａ  第一の室内環境検知手段
３７ｂ  第二の室内環境検知手段
３８ａ  第一の室外温度検知手段
３８ｂ  第二の室外温度検知手段
３９ａ  第一の熱交排気単位素子
３９ｂ  第二の熱交排気単位素子
４０ａ  第一の熱交給気単位素子
４０ｂ  第二の熱交給気単位素子
４１ａ  第一の伝熱板
４１ｂ  第二の伝熱板
４２ａ  第一の分割リブ
４２ｂ  第二の分割リブ
４３ａ  第一の流入口
４３ｂ  第二の流入口
４４ａ  第一の吐出口
４４ｂ  第二の吐出口
４５    多孔質樹脂膜
４６    親水性透湿樹脂膜
４７    多孔質樹脂基材
【図１】
2010096384.tif 000003
【図２】
2010096384.tif 000004
【図３】
2010096384.tif 000005
【図４】
2010096384.tif 000006
【図５】
2010096384.tif 000007
【図６】
2010096384.tif 000008
【図７】
2010096384.tif 000009
【図８】
2010096384.tif 000010
【図９】
2010096384.tif 000011
【図１０】
2010096384.tif 000012
【図１１】
2010096384.tif 000013
【図１２】
2010096384.tif 000014
【図１３】
2010096384.tif 000015
【図１４】
2010096384.tif 000016
【図１５】
2010096384.tif 000017
【図１６】
2010096384.tif 000018
【図１７】
2010096384.tif 000019